(57)【要約】【課題】無線基地局装置から対応するセルへの送信機能の障害発生を検出する。【解決手段】無線基地局装置は、対応するセルへ報知信号を送信する報知信号送信部と、報知信号の無線品質の測定を指示する測定指示信号をセルに存在する移動端末装置へ送信し、セルに対する無線品質の測定を報告する測定報告信号を移動端末装置から受信する測定信号通信部と、受信された測定報告信号に第１のセルに対する無線品質の測定報告が含まれない場合に、第１のセルのカバーエリア内に存在する移動端末装置により測定された第２のセルに対する無線品質の測定報告を含む測定報告信号が受信されたか否かに従って第１のセルの障害を検出する障害検出処理部と、第１のセルに障害が検出された場合に、障害が検出された第１のセルの通知を障害検出処理部から受信し、第１のセルの障害発生を通知するアラーム信号を障害監視装置へ送信するアラーム信号送信部とを含む。【選択図】図４
2015133672.tif 000002
【特許請求の範囲】
【請求項１】
無線基地局装置に対応するセルへ報知信号を送信する報知信号送信部と、
前記報知信号送信部により送信された前記報知信号の無線品質の測定を指示する測定指示信号を前記セルに存在する移動端末装置へ送信し、前記セルに対する前記無線品質の測定を報告する測定報告信号を前記移動端末装置から受信する測定信号通信部と、
前記測定信号通信部により受信された前記測定報告信号に第１のセルに対する無線品質の測定報告が含まれない場合に、前記第１のセルのカバーエリア内に存在する移動端末装置により測定された第２のセルに対する無線品質の測定報告を含む測定報告信号が受信されたか否かに従って、前記無線基地局装置から前記第１のセルへの送信機能に関する前記第１のセルの障害を検出する障害検出処理部と、
前記障害検出部により前記第１のセルに障害が検出された場合に、障害が検出された前記第１のセルの通知を前記障害検出処理部から受信し、前記第１のセルの障害発生を通知するアラーム信号を障害監視装置へ送信するアラーム信号送信部と
を含む無線基地局装置。
【請求項２】
各セルの障害発生を所定の監視周期で監視する監視周期タイマを管理するタイマ管理部と、
前記タイマ管理部により管理される前記監視周期タイマが満了するまでに受信された各測定報告信号に対して、受信された測定報告信号により無線品質が報告されたセルと、前記無線基地局装置の周辺地域が分割された分割区域の中で、受信された前記測定報告信号を送信した移動端末装置の位置を含む分割区域とを抽出し、抽出された前記セルと抽出された前記分割区域とを対応づけて報告管理表に記録する位置座標検出部と、
を更に含み、
前記障害検出処理部は、
前記タイマ管理部により管理される前記監視周期タイマ満了後に、抽出された前記セルに対応付けて記録された前記分割区域を、抽出された前記セルのカバーエリアとして前記報告管理表に記録し、
前記第１のセルに対する無線品質の測定報告が前記報告管理表に無く、前記第１のセルの前記カバーエリアに含まれる少なくとも一部の分割区域が他の少なくとも一部のセルに対して無線品質が報告されている分割区域である場合に、前記第１のセルに対して障害有りと判定する、
請求項１に記載の無線基地局装置。
【請求項３】
前記障害検出処理部は、
受信された各測定報告信号に対して、受信された測定報告信号により無線品質が報告されたセルと、前記無線基地局装置の周辺地域が分割された分割区域の中で、受信された前記測定報告信号を送信した移動端末装置の位置を含む分割区域とを抽出し、抽出された前記セルと抽出された前記分割区域とを対応づけてカバーエリア表に記録し、
受信された測定報告信号から抽出された分割区域に対応付けて前記カバーエリア表に記録されたセルの中に、受信された測定報告信号から抽出されない前記第１のセルが存在する場合、抽出された前記分割区域を前記第１のセルのカバーエリアから除外して、前記第１のセルのカバー率を計算し、
計算された前記カバー率が所定の閾値未満である場合、前記第１のセルに対して障害有りと判定する、
請求項１に記載の無線基地局装置。
【請求項４】
前記第１のセルが他の無線基地局装置に対応するセルである場合、前記アラーム信号送信部は、前記第１のセルに対応する前記他の無線基地局装置へ前記アラーム信号を送信する、請求項１〜３の何れか一項に記載の無線基地局装置。
【請求項５】
無線基地局装置から前記無線基地局装置に対応するセルへ送信された報知信号と、送信された前記報知信号の無線品質の測定を指示する測定指示信号とを受信し、受信された前記測定指示信号に従って受信された前記報知信号の無線品質を測定し、測定された前記セルに対する無線品質の測定報告を含む測定報告信号を前記無線基地局装置へ送信する移動端末装置と、
前記報知信号及び前記測定指示信号を前記セルに存在する移動端末装置へ送信し、前記測定報告信号を前記移動端末装置から受信し、受信された前記測定報告信号に第１のセルに対する無線品質の測定報告が含まれない場合に、前記第１のセルのカバーエリア内に存在する移動端末装置により測定された第２のセルに対する無線品質の測定報告を含む測定報告信号が受信されたか否かに従って、前記無線基地局装置から前記第１のセルへの送信機能に関する前記第１のセルの障害を検出し、前記第１のセルに障害が検出された場合に、前記第１のセルの障害発生を通知するアラーム信号を障害監視装置へ送信する無線基地局装置と
を含む無線システム。
【請求項６】
無線基地局装置が、前記無線基地局装置に対応するセルへ報知信号を送信し、送信された前記報知信号の無線品質の測定を指示する測定指示信号を前記セルに存在する移動端末装置へ送信し、
前記移動端末装置が、前記無線基地局装置から送信された前記報知信号と前記測定指示信号とを受信し、受信された前記測定指示信号に従って受信された前記報知信号の無線品質を測定し、測定された前記セルに対する無線品質の測定報告を含む測定報告信号を前記無線基地局装置へ送信し、
前記無線基地局装置が、前記測定報告信号を前記移動端末装置から受信し、受信された前記測定報告信号に第１のセルに対する無線品質の測定報告が含まれない場合に、前記第１のセルのカバーエリア内に存在する移動端末装置により測定された第２のセルに対する無線品質の測定報告を含む測定報告信号が受信されたか否かに従って、前記無線基地局装置から前記第１のセルへの送信機能に関する前記第１のセルの障害を検出し、前記第１のセルに障害が検出された場合に、前記第１のセルの障害発生を通知するアラーム信号を障害監視装置へ送信する
障害検出方法。
【発明の詳細な説明】
【技術分野】
【０００１】
本発明は、無線基地局装置、無線システム、及び障害検出方法に関する。
【背景技術】
【０００２】
無線システムにおいて、無線基地局装置は、当該無線基地局装置に発生した障害を検出し、障害検出アラームを障害監視装置へ送信するように構成され得る。無線システムの保守者は、障害監視装置へ送信された障害検出アラームに従って障害が発生した無線基地局装置を特定し、特定された無線基地局装置の障害を復旧することによって、無線システムを正常な運用状態に戻すことができる。
【０００３】
しかしながら、予め想定された障害発生ルート以外の箇所に障害が発生した場合には、障害の発生を無線基地局装置が検出できず、障害検出アラームが障害監視装置へ送信されないことがある。障害が発生したにもかかわらず検出されず、障害検出アラームが送信されないこうした障害は、サイレント障害と称される。
【０００４】
サイレント障害が発生すると、障害検出アラームが障害監視装置へ送信されないため、保守者による障害の発見は遅れる。この結果、無線システムの運用は、異常な状態のまま継続され得、移動端末装置が無線基地局装置と通信できないといった通信サービスに支障が生じ得る。
【０００５】
なお、基地局の無線通信機能に障害が生じた結果、無線端末が基地局からの報知情報を受信できるものの基地局への接続に失敗するサイレント障害を検出する次のような技術が知られている。すなわち、無線端末は、第１のネットワークに含まれる第１の基地局への接続に失敗した後、第１のネットワークとは無線アクセス方式が異なる第２のネットワークに含まれる第２の基地局に対し、第１の基地局への接続に失敗したことを示す失敗通知情報を送信する。第２の基地局は、無線端末からの失敗通知情報を受信すると、所定のネットワーク装置へアラーム情報を送信する。所定のネットワーク装置は、第２の基地局からのアラーム情報に基づいて第１の基地局のサイレント障害を検出する。
【０００６】
また、通信障害の発生した位置を示す障害発生エリアマップが作成される次のような技術が知られている。すなわち、基地局の位置情報取得部は、無線端末の位置情報を周期的に取得する。位置情報記憶部は、取得された位置情報を記憶装置に記憶する。通信障害検出部は、無線端末の通信障害を検出する。送信部は、通信障害が検出された場合、通信障害が検出された無線端末の記憶装置に記憶されている最新の位置情報を含むエリアマップ作成情報をエリアマップ作成装置に送信する。エリアマップ作成装置の受信部は、基地局から無線端末の通信障害が発生したときの位置情報を含むエリアマップ作成情報を受信する。エリアマップ作成部は、受信されたエリアマップ作成情報に含まれる位置情報を地図上にプロットし、通信障害の発生した位置を示す障害発生エリアマップを作成する。
【０００７】
さらに、他の移動ノードとの通信が途絶えたときに通信障害が生じた位置を推定する移動ノードに関する次のような技術が知られている。すなわち、移動ノードは、自己の位置情報を取得する情報取得部と、情報取得部で取得した位置情報及び他の移動ノードから受信した位置情報を移動ノード毎に記憶する記憶部と、位置情報を他のノードに宛てて発信する無線通信部と、自己に無線接続している他のノードとの通信が途絶えたときに、記憶部に格納されている位置情報を用いて通信障害が生じた位置を推定する障害発生位置推定部とを有する。
【先行技術文献】
【特許文献】
【０００８】
【特許文献１】特開２０１２−１２４７０７号公報
【特許文献２】特開２０１１−１１９９７６号公報
【特許文献３】特開２００９−１４７４６２号公報
【発明の概要】
【発明が解決しようとする課題】
【０００９】
発明が解決しようとする課題は、無線基地局装置から対応するセルへの送信機能の障害発生を検出することである。
【課題を解決するための手段】
【００１０】
一実施形態に従った無線基地局装置は、報知信号送信部、測定信号通信部、障害検出処理部、及びアラーム信号送信部を含む。報知信号送信部は、無線基地局装置に対応するセルへ報知信号を送信する。測定信号通信部は、報知信号送信部により送信された報知信号の無線品質の測定を指示する測定指示信号をセルに存在する移動端末装置へ送信し、セルに対する無線品質の測定を報告する測定報告信号を移動端末装置から受信する。障害検出処理部は、測定信号通信部により受信された測定報告信号に第１のセルに対する無線品質の測定報告が含まれない場合に、第１のセルのカバーエリア内に存在する移動端末装置により測定された第２のセルに対する無線品質の測定報告を含む測定報告信号が受信されたか否かに従って、無線基地局装置から第１のセルへの送信機能に関する第１のセルの障害を検出する。アラーム信号送信部は、障害検出部により第１のセルに障害が検出された場合に、障害が検出された第１のセルの通知を障害検出処理部から受信し、第１のセルの障害発生を通知するアラーム信号を障害監視装置へ送信する。
【発明の効果】
【００１１】
一実施形態に従った無線基地局装置によれば、無線基地局装置から対応するセルへの送信機能の障害発生を検出できる。
【図面の簡単な説明】
【００１２】
【図１】第１の実施形態に従った無線システムの例示的な構成図である。
【図２】第１の実施形態に従った移動端末装置の例示的な構成図である。
【図３】第１の実施形態に従った無線基地局装置の例示的な構成図である。
【図４】第１の実施形態に従った呼処理監視制御部の例示的な構成図である。
【図５】無線基地局装置の例示的な配置図である。
【図６】報告管理表の例図である。
【図７】無線基地局装置の周辺区域に割り当てられた座標メッシュ番号の第１の例図である。
【図８】測定報告信号の例図である。
【図９】位置座標変換部が実行する例示的な測定報告記録処理のフロー図である。
【図１０】監視周期タイマ満了時の報告管理表の例図である。
【図１１】第１の実施形態に従った障害検出処理部が実行する例示的なカバーエリア記録処理のフロー図である。
【図１２】第１の実施形態に従った障害検出処理部が実行する例示的な障害検出処理のフロー図である。
【図１３】カバーエリアが記録された報告管理表の例図である。
【図１４】セル状態表の第１の例図である。
【図１５】第２の実施形態に従った無線基地局装置の例示的な構成図である。
【図１６】第２の実施形態に従った呼処理監視制御部の例示的な構成図である。
【図１７】カバーエリア表の例図である。
【図１８】カバー率表の例図である。
【図１９】無線基地局装置の周辺区域に割り当てられた座標メッシュ番号の第２の例図である。
【図２０Ａ】第２の実施形態に従った障害検出処理部が実行する例示的な障害検出処理のフロー図である。
【図２０Ｂ】第２の実施形態に従った障害検出処理部が実行する例示的な障害検出処理のフロー図である。
【図２１】登録処理されたカバーエリア表の例図である。
【図２２】登録処理されたカバー率表の例図である。
【図２３】ある時点におけるカバーエリア表の例図である。
【図２４】ある時点におけるカバー率表の例図である。
【図２５】削除処理されたカバーエリア表の例図である。
【図２６】削除処理されたカバー率表の例図である。
【図２７】セル状態表の第２の例図である。
【発明を実施するための形態】
【００１３】
以下、図面を参照しながら発明を実施するための形態を説明する。
＜第１の実施形態＞
図１は、第１の実施形態に従った無線システムの例示的な構成図である。図１に示すように、無線システム１は、移動端末装置１０−１〜１０−８、無線基地局装置２０−１〜２０−４、コアネットワーク装置３０−１〜３０−２、及び障害監視装置４０を含む。以下の説明において、移動端末装置１０−１〜１０−８を特に区別しない場合には、移動端末装置１０と記載する。無線基地局装置２０−１〜２０−４を特に区別しない場合には、無線基地局装置２０と記載する。コアネットワーク装置３０−１〜３０−２を特に区別しない場合には、コアネットワーク装置３０と記載する。
【００１４】
移動端末装置１０は、無線基地局装置２０によりカバーされる通信区域であるセル内に存在し、当該移動端末装置１０が存在するセルに対応する無線基地局装置２０と無線で通信する。移動端末装置１０は、例えば、Third Generation Partnership Project（３ＧＰＰ）の仕様書で規定されるUser Equipment（ＵＥ）であり、スマートフォンと称される携帯電話、及びタブレット端末と称される無線通信端末装置を含む。図１には、８つの移動端末装置１０が示されているが、無線システム１に含まれる移動端末装置１０の数は、任意の数であってよい。
【００１５】
無線基地局装置２０は、当該無線基地局装置２０に対応するセル内に存在する移動端末装置１０と無線で通信する。図１に示した一例では、各無線基地局装置２０は、２つの移動端末装置１０と無線で接続されるが、各無線基地局装置２０が接続し得る移動端末装置１０の数は、任意の数であり得る。無線基地局装置２０は、Ｓ１インタフェースといった第１のInternet Protocol（ＩＰ）インタフェースを介してコアネットワーク装置３０と接続する。また、無線基地局装置２０は、Ｘ２インタフェースといった第２のＩＰインタフェースを介して、隣接する他の無線基地局装置２０と接続する。無線基地局装置２０は、例えば、３ＧＰＰの仕様書で規定されるevolved Node B（ｅＮＢ）である。図１には、４つの無線基地局装置２０が示されているが、無線システム１に含まれる無線基地局装置２０の数は、任意の数であってよい。
【００１６】
コアネットワーク装置３０は、無線基地局装置２０を含む無線アクセスネットワークとインターネットといった外部ネットワーク（不図示）とを接続するコアネットワークに含まれる装置である。コアネットワークは、例えば、３ＧＰＰの仕様書で規定されるEvolved Packet Core（ＥＰＣ）である。コアネットワーク装置３０は、例えば、配下の無線基地局装置２０を収容し且つモビリティ制御を行うMobility Management Entity（ＭＭＥ）や、ユーザパケットのルーティング等を行うSystem Architecture Evolution Gateway（ＳＡＥ−ＧＷ）である。コアネットワーク装置３０は、Ｓ１インタフェースといった第１のＩＰインタフェースを介して配下の無線基地局装置２０と接続する。図１に示した一例では、各コアネットワーク装置３０は、２つの無線基地局装置２０と接続されるが、各コアネットワーク装置３０が接続し得る無線基地局装置２０の数は、任意の数であり得る。また、図１には、２つのコアネットワーク装置３０が示されているが、無線システム１に含まれるコアネットワーク装置３０の数は、任意の数であってよい。
【００１７】
障害監視装置４０は、無線基地局装置２０に発生した障害を監視する装置である。障害監視装置４０は、コアネットワーク装置３０と接続する。障害監視装置４０は、障害が発生した無線基地局装置２０から送信されたアラーム信号をコアネットワーク装置３０を介して受信する。障害監視装置４０は、コンピュータといった情報処理装置であってよい。
【００１８】
無線基地局装置２０は、当該無線基地局装置２０に発生した障害を検出し、障害の発生を通知するアラーム信号を障害監視装置４０へ送信するように構成される。しかしながら、無線基地局装置２０から当該無線基地局装置２０に対応するセルへの送信機能に生じた障害は、アラーム信号が送信されないサイレント障害になる危険性がある。
【００１９】
例えば、無線基地局装置２０と、当該無線基地局装置２０と接続された移動端末装置１０との間では、次のように信号が送受信される。すなわち、無線基地局装置２０は、当該無線基地局装置２０と接続された移動端末装置１０へ測定指示信号を送信する。測定指示信号は、各無線基地局装置２０が対応するセルへ送信した報知信号の無線品質を測定するように移動端末装置１０に指示する信号である。測定指示信号は、例えば、３ＧＰＰの仕様書に規定されるMeasurement Controlメッセージである。移動端末装置１０は、無線基地局装置２０から送信された測定指示信号を受信する。移動端末装置１０は、受信された測定指示信号に従って報知信号の無線品質を測定する。すなわち、移動端末装置１０は、当該移動端末装置１０と接続された無線基地局装置２０から送信された報知信号と移動端末装置１０が存在する位置の周辺の無線基地局装置２０から送信された報知信号とを受信し、受信された各報知信号の無線品質を測定する。測定される無線品質は、例えば、報知信号の受信電界強度である。移動端末装置１０は、測定された各報知信号の無線品質を報告する測定報告信号を、移動端末装置１０と接続された無線基地局装置２０へ送信する。移動端末装置１０から無線基地局装置２０へ送信される測定報告信号は、例えば、３ＧＰＰの仕様書に規定されるMeasurement Reportメッセージである。
【００２０】
無線基地局装置２０から当該無線基地局装置２０に対応するあるセルへの送信機能に何らかの障害が発生した場合、報知信号及び測定指示信号を含む電波は、当該セルへ送信されなくなる。このため、移動端末装置１０は、電波が送信されないセルに対する無線品質の測定及び測定結果の報告を行わない。したがって、無線基地局装置２０が受信する測定報告信号には、電波が送信されていないセルの無線品質は含まれない。
【００２１】
このように、無線基地局装置２０から対応するセルへの送信機能に何らかの障害が発生した場合、無線基地局装置２０が受信する測定報告信号には、電波が送信されていないセルの無線品質の情報は含まれない。しかしながら、無線基地局装置２０が受信する測定報告信号に当該無線基地局装置２０に対応するセルの無線品質が含まれない原因は、当該セルに対応する無線基地局装置２０の送信機能に障害が発生したことに限られない。例えば、移動端末装置１０の受信機能に障害が発生した場合や、ある位置に存在する移動端末装置１０と無線基地局装置２０との間の無線環境が降雨等により一時的に悪化した場合にも、無線基地局装置２０が受信する測定報告信号には、当該セルの無線品質は含まれない。これらの場合、無線基地局装置２０には障害が発生していないが、無線基地局装置２０が受信する測定報告信号には当該セルの無線品質が含まれない。したがって、無線基地局装置２０が受信する測定報告信号に当該無線基地局装置２０に対応するセルの無線品質が含まれない原因が当該セルに対応する無線基地局装置２０の送信機能の障害発生にあるのか、それともそれ以外にあるのかが判別されなくなり得る。すなわち、無線基地局装置２０から対応するセルへの送信機能の障害は、サイレント障害になる危険性がある。
【００２２】
そこで、第１の実施形態に従った無線基地局装置２０は、無線基地局装置２０から対応するセルへの送信機能に発生した障害をサイレント障害とせずに検出するように構成される。例えば、無線基地局装置２０は、受信された測定報告信号に第１のセルに対する無線品質の測定報告が含まれない場合に、第１のセルのカバーエリア内に存在する移動端末装置１０により測定された第２のセルに対する無線品質の測定報告を含む測定報告信号は受信されていると判定すると、第１のセル対する障害を検出する。
【００２３】
第１の実施形態に従った無線基地局装置２０と通信する移動端末装置１０の構成は、例えば、以下のとおりである。図２は、第１の実施形態に従った移動端末装置の例示的な構成図である。図２に示すように、移動端末装置１０は、Central Processing Unit（ＣＰＵ）１１、メモリ１２、無線通信インタフェース１３、及びアンテナ１４を含む。
【００２４】
ＣＰＵ１１は、演算処理を行う論理回路である。ＣＰＵ１１は、移動端末装置１０全体の動作を制御する。メモリ１２には、ＣＰＵ１１により実行されるプログラム及びデータや、ＣＰＵ１１による処理中のデータが記憶される。ＣＰＵ１１は、測定信号通信部１１Ａ及び品質計測部１１Ｂを含む。
【００２５】
測定信号通信部１１Ａは、無線基地局装置２０から送信された報知信号をアンテナ１４及び無線通信インタフェース１３を介して受信する。受信される報知信号には、当該移動端末装置１０と接続された無線基地局装置２０に対応する各セルの報知信号と、移動端末装置１０が存在する位置周辺の無線基地局装置２０に対応する各セルの報知信号とが含まれ得る。また、測定信号通信部１１Ａは、当該移動端末装置１０と接続された無線基地局装置２０から送信された測定指示信号をアンテナ１４及び無線通信インタフェース１３を介して受信する。
【００２６】
品質計測部１１Ｂは、測定信号通信部１１Ａにより受信された測定指示信号に従って、測定信号通信部１１Ａにより受信された報知信号の無線品質を測定する。測定される無線品質は、例えば、報知信号の受信電界強度である。測定信号通信部１１Ａは、品質計測部１１Ｂにより測定された報知信号の無線品質を示す無線品質情報と、無線品質を測定した当該移動端末装置１０の位置を示す位置情報とを含む測定報告信号を生成する。測定信号通信部１１Ａは、生成された測定報告信号を当該移動端末装置１０と接続された無線基地局装置２０へ無線通信インタフェース１３及びアンテナ１４を介して送信する。
【００２７】
無線通信インタフェース１３は、ＣＰＵ１１から送信された無線基地局装置２０宛ての信号を受信し、受信された信号をベースバンド処理および無線信号処理し、処理された無線信号をアンテナ１４を介して送信する。また、無線通信インタフェース１３は、無線基地局装置２０から送信された無線信号をアンテナ１４を介して受信し、受信された信号を無線信号処理およびベースバンド処理し、処理された信号をＣＰＵ１１へ送信する。
【００２８】
次に、第１の実施形態に従った無線基地局装置２０の構成を説明する。図３は、第１の実施形態に従った無線基地局装置の例示的な構成図である。図３に示すように、無線基地局装置２０は、ＣＰＵ２１、メモリ２２、無線通信インタフェース２３、アンテナ２４、及びネットワークインタフェース２５を含む。
【００２９】
ＣＰＵ２１は、演算処理を行う論理回路である。ＣＰＵ２１は、無線基地局装置２０全体の動作を制御する。ＣＰＵ２１は、呼処理監視制御部２１Ａを含む。呼処理監視制御部２１Ａは、無線基地局装置２０に接続を要求した移動端末装置１０と無線基地局装置２０との間で送受信される信号や、無線基地局装置２０が形成するセル内に存在する移動端末装置１０への発呼に応じて送受信される信号等を処理する。また、呼処理監視制御部２１Ａは、無線基地局装置２０内における障害の発生を監視する。
【００３０】
メモリ２２には、ＣＰＵ２１により実行されるプログラム及びデータや、ＣＰＵ２１による処理中のデータが記憶される。また、メモリ２２は、報告管理表２２Ａ及びセル状態表２２Ｂを含む。報告管理表２２Ａは、無線基地局装置２０により受信された測定報告信号に当該セルに対する無線品質の測定報告が含まれるか否かがセル毎に記録されるテーブルである。セル状態表２２Ｂは、各セルの運用状態と各セルの障害発生の有無とが記録されるテーブルである。
【００３１】
無線通信インタフェース２３は、ＣＰＵ２１から送信された移動端末装置１０宛ての信号を受信し、受信された信号をベースバンド処理および無線信号処理し、処理された無線信号をアンテナ２４を介して送信する。また、無線通信インタフェース２３は、移動端末装置１０から送信された無線信号をアンテナ２４を介して受信し、受信された信号を無線信号処理およびベースバンド処理し、処理された信号をＣＰＵ２１へ送信する。
【００３２】
ネットワークインタフェース２５は、Ｓ１インタフェースといった第１のＩＰインタフェースとＸ２インタフェースといった第２のＩＰインタフェースとを提供する装置である。ネットワークインタフェース２５は、コアネットワーク装置３０又は隣接する他の無線基地局装置２０から送信されたＩＰパケットを受信し、受信されたＩＰパケットが処理されたデータ信号をＣＰＵ２１へ送信する。また、ネットワークインタフェース２５は、ＣＰＵ２１から送信されたコアネットワーク装置３０宛て又は隣接する他の無線基地局装置２０宛てのデータ信号を受信し、受信された信号が処理されたＩＰパケットを宛先装置へ送信する。
【００３３】
図４は、第１の実施形態に従った呼処理監視制御部の例示的な構成図である。図４に示すように、呼処理監視制御部２１Ａは、セル管理部２１０、呼処理部２１１、報知信号送信部２１２、測定信号通信部２１３、及び移動端末装置用通信部２１４を含む。また、呼処理監視制御部２１Ａは、位置座表変換部２１５、障害検出処理部２１６、タイマ管理部２１７、アラーム信号送信部２１８、及び他ノード用通信部２１９を含む。
【００３４】
セル管理部２１０は、当該無線基地局装置２０がカバーする通信区域である各セルの運用を管理する。セル管理部２１０は、セル管理部２１０が管理するセルに障害が検出された旨の通知を障害検出処理部２１６から受信し、受信された通知に従って、障害が検出されたセルの初期化処理の実行を呼処理部２１１に指示する。
【００３５】
呼処理部２１１は、セル管理部２１０により運用が管理されるセル内に存在する移動端末装置１０と通信される信号を処理する。また、呼処理部２１１は、障害が検出されたセルの初期化処理をセル管理部２１０による指示に従って実行し、障害が検出されたセルの復旧処理を行う。また、呼処理部２１１は、障害が検出されたセルの初期化処理を他の無線基地局装置２０から送信されたアラーム信号に従って実行し、障害が検出されたセルの復旧処理を行う。
【００３６】
報知信号送信部２１２は、呼処理部２１１により決定された当該セルの報知情報を含む報知信号を移動端末装置用通信部２１４を介して対応するセルへ送信する。報知信号は、例えば、３ＧＰＰで規定されるDownlink Reference Signalといったパイロット信号である。報知情報には、当該セルのセル識別子（Identifier、ＩＤ）、及び当該セル内の全ての移動端末装置１０に共通して通信に必要とされる運用パラメータ等が含まれ得る。
【００３７】
測定信号通信部２１３は、当該無線基地局装置２０に対応するセルの無線品質と、当該無線基地局装置２０の周辺の他の無線基地局装置２０に対応するセルの無線品質とが測定及び報告されるための信号を、移動端末装置１０と送受信する。
【００３８】
具体的には、測定信号通信部２１３は、当該無線基地局装置２０と接続した移動端末装置１０へ測定指示信号を移動端末装置用通信部２１４を介して送信する。測定信号通信部２１３は、移動端末装置１０から送信された測定報告信号を移動端末装置用通信部２１４を介して受信する。受信される測定報告信号には、無線品質を測定した移動端末装置１０が存在する位置を示す位置情報が含まれる。また、受信される測定報告信号には、当該無線基地局装置２０に対応するセルの無線品質情報、及び周辺の無線基地局装置２０に対応するセルの無線品質情報が含まれ得る。
【００３９】
移動端末装置用通信部２１４は、移動端末装置１０と通信される信号の内容及びフォーマットを確認し、確認された信号を転送する。例えば、移動端末装置用通信部２１４は、報知信号送信部２１２から送信された報知信号及び測定信号通信部２１３から送信された測定指示信号を受信する。移動端末装置用通信部２１４は、受信信号のフォーマットが正しいフォーマットであることを確認し、受信信号を無線通信インタフェース２３へ送信する。また、移動端末装置用通信部２１４は、無線通信インタフェース２３から送信された測定報告信号を受信する。移動端末装置用通信部２１４は、受信された測定報告信号のフォーマットが正しいフォーマットであることを確認し、受信された測定報告信号を測定信号通信部２１３へ送信する。
【００４０】
位置座標変換部２１５は、測定信号通信部２１３により受信された測定報告信号に含まれる位置情報から、測定報告信号を送信した移動端末装置１０の位置を抽出する。位置座標変換部２１５は、無線基地局装置２０の周辺地域が分割された分割区域の内、抽出された位置を含む分割区域に、測定報告信号が送信された位置を変換する。また、位置座標変換部２１５は、測定信号通信部２１３により受信された測定報告信号から、無線品質が報告されたセルを抽出する。位置座標変換部２１５は、測定報告信号が送信された位置が変換された分割区域と、抽出されたセルとを相互に対応付けて報告管理表２２Ａに記録する。この結果、報告管理表２２Ａには、当該分割区域において当該セルに対する無線品質の測定報告が行われたことが記録される。
【００４１】
タイマ管理部２１７は、無線基地局装置２０に対応する各セルに発生した障害を所定の監視周期で監視するための監視周期タイマを管理する。タイマ管理部２１７は、監視周期タイマが満了されると、監視周期タイマの満了を障害検出処理部２１６へ通知する。タイマ管理部２１７は、障害検出処理部２１６により障害検出処理が実行された後、監視周期タイマを再開する。
【００４２】
障害検出処理部２１６は、タイマ管理部２１７により管理される監視周期タイマの満了後に、報告管理表２２Ａを更新する。また、障害検出処理部２１６は、更新された報告管理表２２Ａと、当該無線基地局装置２０及び周辺の無線基地局装置２０の各セルの運用状態が記録されたセル状態表２２Ｂとを用いて、各セルに対する障害発生の有無を判定する。
ずなわち、障害検出処理部２１６は、報知信号及び測定指示信号を含む電波が当該無線基地局装置２０から送信されていないセルを障害が発生したセルとして検出する。
【００４３】
具体的には、障害検出処理部２１６は、所定の監視周期内に受信された各測定報告信号により無線品質が報告された当該セルの全ての分割区域を、当該セルにより通信がカバーされるカバーエリアとして報告管理表２２Ａに記録する。また、障害検出処理部２１６は、当該セルのカバーエリアとして報告管理表２２Ａに記録された分割区域の内、連続した所定回数の監視周期において無線品質が報告されない分割区域を、当該セルのカバーエリアから除外する。
【００４４】
障害検出処理部２１６は、更新された報告管理表２２Ａで管理される各セルに対して、無線品質が報告されているか否かを確認する。無線品質が報告されていると確認されたセルに対しては、障害検出処理部２１６は、障害無しと判定する。無線品質が報告されていないと確認されたセルに対しては、障害検出処理部２１６は、当該セルのカバーエリアに含まれる全ての分割区域が、報告管理表２２Ａで管理される他の全てのセルに対して無線品質が報告されていない分割区域であるか否かを確認する。
【００４５】
当該セルのカバーエリアに含まれる全ての分割区域が他の全てのセルに対して無線品質が報告されていない分割区域である場合には、障害検出処理部２１６は、当該セルに対する障害発生の有無の判定を保留する。判定が保留されたセルに対する障害は、他の無線基地局装置２０から送信されたアラーム信号によって検知され得る。一方、当該セルのカバーエリアに含まれる少なくとも一部の分割区域が他の少なくとも一部のセルに対して無線品質が報告されている分割区域である場合には、障害検出処理部２１６は、当該セルの運用状態が運用中であるか否かをセル状態表２２Ｂを参照することにより確認する。
【００４６】
当該セルの運用状態が停止中であると確認された場合には、障害検出処理部２１６は、当該セルに対して障害無しと判定する。当該セルの運用状態が運用中であると確認された場合には、障害検出処理部２１６は、当該セルに対して障害有りと判定する。
【００４７】
障害検出処理部２１６は、障害有りと判定されたセルをアラーム信号送信部２１８へ通知する。また、障害検出処理部２１６は、障害有りと判定されたセルの内、当該無線基地局装置２０に対応するセルをセル管理部２１０へ通知する。
【００４８】
アラーム信号送信部２１８は、障害検出処理部２１６により通知されたセルに障害が発生したことを示すアラーム信号を生成し、生成されたアラーム信号を他ノード用通信部２１９を介して障害監視装置４０へ送信する。また、通知されたセルが周辺の無線基地局装置２０に対応するセルである場合、アラーム信号送信部２１８は、生成されたアラーム信号を障害監視装置４０へ送信すると共に、他ノード用通信部２１９を介して当該セルに対応する無線基地局装置２０へ送信する。
【００４９】
他ノード用通信部２１９は、他の無線基地局装置２０やコアネットワーク装置３０といった他ノードと通信される信号の内容及びフォーマットを確認し、確認された信号を転送する。例えば、他ノード用通信部２１９は、アラーム信号送信部２１８から送信されたアラーム信号を受信する。他ノード用通信部２１９は、受信信号のフォーマットが正しいフォーマットであることを確認し、受信されたアラーム信号をネットワークインタフェース２５へ送信する。また、他ノード用通信部２１９は、ネットワークインタフェース２５から送信されたアラーム信号を受信する。他ノード用通信部２１９は、受信されたアラーム信号のフォーマットが正しいフォーマットであることを確認し、受信されたアラーム信号を呼処理部２１１へ送信する。
【００５０】
無線基地局装置２０が実行する障害検出方法の一例を説明する。図５は、無線基地局装置の例示的な配置図である。図５に示す無線基地局装置２０Ａ〜２０Ｇは、第１の実施形態に従った無線基地局装置２０である。各無線基地局装置２０Ａ〜２０Ｇは、楕円で示される通信エリアを有する。無線基地局装置２０Ａ〜２０Ｇの通信エリアの一部は、相互に重複し得る。なお、図５に示す配置は、一例にすぎず、各無線基地局装置２０の配置は、任意であってよく、ある無線基地局装置２０の周辺に存在する無線基地局装置２０の数は、任意の数であってよい。また、各無線基地局装置２０の通信エリアの形状は、図５に示したような楕円でなくてよい。以下の説明では、無線基地局装置２０Ｂ〜２０Ｇを無線基地局装置２０Ａの周辺に存在する無線基地局装置２０と仮定し、無線基地局装置２０Ａが実行する障害検出方法を具体例として説明する。
【００５１】
まず、無線基地局装置２０は、図６に示すようなフォーマットの報告管理表２２Ａをメモリ２２内に予め保持する。図６は、報告管理表の例図である。図６には、無線基地局装置２０Ａのメモリ２２に保持される報告管理表２２Ａの一例が示されている。図６に示す一例では、報告管理表２２Ａには、セル番号、報告有無、座標メッシュ番号、及びカバーエリアが記録項目として含まれる。
【００５２】
セル番号は、当該無線基地局装置２０に対応する各セルの識別子、及び周辺の無線基地局装置２０に対応する各セルの識別子である。図６に示す一例では、無線基地局装置２０Ａに対応する各セルの番号と、周辺の無線基地局装置２０Ｂ〜２０Ｇに対応する各セルの番号とが“セル番号”欄の各行に予め登録される。また、“セル番号”欄の最終行には、報告管理表２２Ａに登録された全てのセルを表す“全セル”が登録される。なお、図６に記載されたセル番号“…”は、図６中に明示されたセル番号以外のあるセル番号を表す。
【００５３】
報告有無は、当該セル番号に対応するセルの無線品質情報が受信された測定報告信号に含まれたか否かを示す。
【００５４】
座標メッシュ番号は、当該無線基地局装置２０の周辺地域が分割された各分割区域の識別番号を示す。図７は、無線基地局装置の周辺区域に割り当てられた座標メッシュ番号の第１の例図である。図７に示す一例では、無線基地局装置２０Ａの通信エリアは、セルＡ−１〜セルＡ６により構成される。セルＡ−１〜セルＡ６の一部は、相互に重複し得る。また、図７に示す一例では、無線基地局装置２０Ａの通信エリアを含む無線基地局装置２０Ａの周辺地域は、緯度及び経度によってメッシュ状に１２個の分割区域に分割され、分割された各分割区域には、固有の座標メッシュ番号１〜１２が割り当てられる。そこで、図６に示す一例では、報告管理表２２Ａの“座標メッシュ番号”欄の各列には、座標メッシュ番号１〜１２が登録される。なお、図６に記載された座標メッシュ番号“…”は、図６中に明示された座標メッシュ番号以外のある座標メッシュ番号を表す。また、図７は、説明のための例示にすぎず、無線基地局装置２０Ａの周辺地域の分割方法及び座標メッシュ番号の割り当て方法は、任意の方法であってよい。
【００５５】
カバーエリアは、当該監視周期までに受信された各測定報告信号から特定された当該セルのカバーエリアを示す。カバーエリアは、分割区域の座標メッシュ番号により表される。カバーエリアに含まれる各分割区域は、受信された測定報告信号に当該セル番号に対応するセルの無線品質情報が含まれる場合に当該測定報告信号に含まれる位置情報に基づき取得される。
【００５６】
図６に示すような報告管理表２２Ａは、無線基地局装置２０が設置された時、無線基地局装置２０に対応するセルの構成が変更された時、及び周辺の無線基地局装置２０に対応するセルの構成が変更された時に初期状態に設定される。図６に示す報告管理表２２Ａ中に記載された記号“−”は、初期値を示す。初期値は、例えば、数値“０”であってよい。図６に示すような報告管理表２２Ａは、無線基地局装置２０が使用する周波数毎にメモリ２２内に保持され得る。
【００５７】
報告管理表２２Ａが保持された後、無線基地局装置２０の報知信号送信部２１２は、当該無線基地局装置２０に対応する各セルへ報知信号を送信する。図７に示した一例では、無線基地局装置２０Ａの報知信号送信部２１２は、セルＡ−１〜セルＡ６へ報知信号を送信する。また、周辺の無線基地局装置２０Ｂ〜２０Ｇの各報知信号送信部２１２は、対応する各セルへ報知信号を送信する。
【００５８】
タイマ管理部２１７は、監視周期タイマを開始する。測定信号通信部２１３は、測定指示信号を無線基地局装置２０に対応する各セルへ送信する。図７に示した一例では、無線基地局装置２０Ａの測定信号通信部２１３は、セルＡ−１〜セルＡ６へ測定指示信号を送信する。
【００５９】
測定信号通信部２１３は、送信された測定指示信号に従って移動端末装置１０から送信された測定報告信号を受信する。図８に示す一例ように、受信される測定報告信号には、位置情報と１つ以上のセルの品質情報とが含まれる。図８は、測定報告信号の例図である。測定報告信号に含まれる位置情報は、無線品質を測定した移動端末装置１０の位置を示す情報であり、例えば、移動端末装置１０が存在する位置の緯度及び経度を含む。測定報告信号に含まれる各品質情報は、移動端末装置１０が測定した報知信号の無線品質と、その報知信号が送信されたセルのセル番号（セル識別子）とを含む。
【００６０】
位置座標変換部２１５は、測定信号通信部２１３により受信された測定報告信号を用いて、無線品質が測定された分割区域と無線品質が測定されたセルとを報告管理表２２Ａに記録する。例えば、位置座標変換部２１５は、図９に示すような処理フローに従って測定報告信号の記録処理、すなわち測定報告記録処理を実行する。図９は、位置座標変換部が実行する例示的な測定報告記録処理のフロー図である。
【００６１】
一連の測定報告記録処理が開始されると（ステップＳ１００１）、位置座標変換部２１５は、受信された測定報告信号に含まれる位置情報に従って、受信された測定報告信号を送信した移動端末装置１０の位置を特定する。そして、位置座標変換部２１５は、特定された位置を含む分割区域に、受信された測定報告信号が送信された位置を変換し、変換された分割区域の座標メッシュ番号を抽出する（ステップＳ１００２）。
【００６２】
位置座標変換部２１５は、受信された測定報告信号により無線品質が報告されたセルの数だけ、ステップＳ１００３とステップＳ１００８との間の繰り返し処理を実行する。
【００６３】
すなわち、位置座標変換部２１５は、受信された測定報告信号から無線品質が報告されたセルのセル番号を抽出する（ステップＳ１００４）。報告管理表２２Ａにおいて、位置座標変換部２１５は、抽出されたセル番号に対応する“報告有無”欄にフラグを立てる（ステップＳ１００５）。“報告有無”欄にフラグが立てられることによって、当該セルへ送信された報知信号に対する無線品質の測定報告があったことが示され、報知信号といった電波が当該セルにおいて送信されていたことが示される。
【００６４】
位置座標変換部２１５は、抽出されたセル番号に対応する“座標メッシュ番号”欄の内、抽出された座標メッシュ番号の“座標メッシュ番号”欄にフラグを立てる（ステップＳ１００６）。こうしたフラグが立てられることによって、当該座標メッシュ番号の分割区域から当該セルの無線品質が報告されたことが示され、当該セルへ送信された報知信号が当該座標メッシュ番号の分割区域において受信されたことが示される。
【００６５】
位置座標変換部２１５は、“全セル”に対応する“座標メッシュ番号”欄の内、抽出された座標メッシュ番号の“座標メッシュ番号”欄にフラグを立てる（ステップＳ１００７）。こうしたフラグが立てられることによって、報告管理表２２Ａで管理される全てのセルの内、あるセルへ送信された報知信号の無線品質が当該座標メッシュ番号の分割区域から報告されたことが示される。また、こうしたフラグが立てられることによって、測定報告信号の送信といった移動端末装置１０による通信が当該区域において存在することが示される。
【００６６】
受信された測定報告信号により無線品質が報告されたセルの数だけ、ステップＳ１００３とステップＳ１００８との間の繰り返し処理が実行されると、一連の測定報告記録処理は終了される（ステップＳ１００９）。
【００６７】
図９を参照しながら説明した一連の測定報告記録処理は、移動端末装置１０から送信された測定報告信号が受信される度に実行される。監視周期タイマが所定の監視周期に達して満了すると、タイマ管理部２１７は、監視周期タイマの満了を障害検出処理部２１６へ通知する。
【００６８】
図１０は、監視周期タイマ満了時の報告管理表の例図である。図１０に示す一例では、報告管理表２２Ａに記録された記号“○”は、フラグが立てられた状態を表し、例えば、数値“１”であってよい。また、報告管理表２２Ａに記録された記号“−”は、初期状態、すなわちフラグが立てられていない状態を表し、例えば、数値“０”であってよい。なお、図１０に記載されるセル番号“…”は、図１０中に明示されたセル番号以外のあるセル番号を表す。また、図１０に記載される座標メッシュ番号“…”は、図１０中に明示された座標メッシュ番号以外のある座標メッシュ番号を表す。
【００６９】
障害検出処理部２１６は、位置座標変換部２１５による測定報告記録処理が実行された報告管理表２２Ａを参照し、報告管理表２２Ａにより管理される各セルのカバーエリアを記録及び更新する。例えば、障害検出処理部２１６は、図１１に示すような処理フローに従ってカバーエリアを記録及び更新する処理、すなわちカバーエリア記録処理を実行する。図１１は、第１の実施形態に従った障害検出処理部が実行する例示的なカバーエリア記録処理のフロー図である。
【００７０】
監視周期タイマが満了し、一連のカバーエリア記録処理が開始されると（ステップＳ２００１）、障害検出処理部２１６は、報告管理表２２Ａに登録されたセルの数だけ、ステップＳ２００２とステップＳ２００６との間の繰り返し処理を実行する。
【００７１】
すなわち、障害検出処理部２１６は、当該セル番号のセルのカバーエリアとして、フラグが立てられた座標メッシュ番号の分割区域を記録する（ステップＳ２００３）。前述したように、“座標メッシュ番号”欄に立てられたフラグは、当該座標メッシュ番号の分割区域から当該セルの無線品質が報告されたこと、すなわち、当該セルへ送信された報知信号が当該座標メッシュ番号の分割区域において受信されたことを示す。例えば、図１０に示す一例では、記号“○”で示されるフラグは、セルＡ−１に対応する座標メッシュ番号１、２、３、及び“…”に立てられている。そこで、障害検出処理部２１６は、セルＡ−１のカバーエリアとして座標メッシュ番号１、２、３、及び“…”の分割区域を記録する。すなわち、障害検出処理部２１６は、座標メッシュ番号１、２、３、及び“…”をセルＡ−１に対応する“カバーエリア”欄に記録する。
【００７２】
障害検出処理部２１６は、当該監視周期において無線品質が報告されない分割区域、すなわち、フラグが立てられていない座標メッシュ番号の分割区域に対して、報告未受信をカウントするカウント値をインクリメントする（ステップＳ２００４）。そして、障害検出処理部２１６は、当該セルのカバーエリアとして既に記録された分割区域の内、連続した所定回数の監視周期において無線品質が報告されない分割区域、すなわちカウント値が既定値に達した分割区域を当該セルのカバーエリアから除外する（ステップＳ２００５）。例えば、セルＡ−１に対応する“カバーエリア”欄に記録された座標メッシュ番号１、２、３、及び“…”の内、座標メッシュ番号１のフラグが連続した所定回数の監視周期において立てられておらず、座標メッシュ番号１に対するカウント値が既定値に達したと仮定する。この仮定の場合、障害検出処理部２１６は、セルＡ−１に対応する“カバーエリア”欄から座標メッシュ番号１を削除する。なお、各座標メッシュ番号のカウント値は、当該座標メッシュ番号にフラグが立てられた時に、０（ゼロ）に初期化される。
【００７３】
報告管理表２２Ａに登録されたセルの数だけ、ステップＳ２００２とステップＳ２００６との間の繰り返し処理が実行されると、一連のカバーエリア記録処理は終了される（ステップＳ２００７）。
【００７４】
一連のカバーエリア記録処理が終了されると、障害検出処理部２１６は、カバーエリアが記録及び更新された報告管理表２２Ａを参照して、報告管理表２２Ａに登録された各セルの障害発生の有無を検出する。例えば、障害検出処理部２１６は、図１２に示すような処理フローに従って各セルの障害発生の有無を検出する処理、すなわち障害検出処理を実行する。図１２は、第１の実施形態に従った障害検出処理部が実行する例示的な障害検出処理のフロー図である。
【００７５】
一連の障害検出処理が開始されると（ステップＳ３００１）、障害検出処理部２１６は、報告管理表２２Ａに登録されたセルの数だけ、ステップＳ３００２とステップＳ３０１６との間の繰り返し処理を実行する。
【００７６】
すなわち、障害検出処理部２１６は、当該セルのセル番号に対応する“報告有無”欄にフラグが立てられているか否かを判定する（ステップＳ３００３）。前述したように、“報告有無”欄のフラグは、当該セル番号のセルへ送信された報知信号に対する無線品質の測定報告があったこと、すなわち、報知信号といった電波が当該セルにおいて送信されていたことが示される。
【００７７】
当該セル番号に対応する“報告有無”欄にフラグが立てられていると判定される場合（ステップＳ３００３で“ＹＥＳ”）、障害検出処理部２１６は、当該セル番号のセルに対して障害無しと判定する（ステップＳ３００４）。例えば、ある監視周期においてカバーエリア記録処理された報告管理表２２Ａが図１３に示すように記録されていると仮定する。図１３は、カバーエリアが記録された報告管理表の例図である。図１３に示す一例では、障害検出処理部２１６は、セルＡ−２、セルＡ−５、セルＡ−６、セルＢ−４、セルＣ−５、セルＤ−６、セル“…”、及びセルＧ−３に対して障害無しと判定する。
【００７８】
当該セル番号に対応する“報告有無”欄にフラグが立てられていないと判定される場合（ステップＳ３００３で“ＮＯ”）、障害検出処理部２１６は、当該セル番号に対応する “カバーエリア”欄から座標メッシュ番号を抽出する（ステップＳ３００５）。“カバーエリア”欄に記載された座標メッシュ番号は、移動端末装置１０が送信した測定報告信号によって当該セル番号のセルの無線品質が報告された分割区域を示す。
【００７９】
障害検出処理部２１６は、抽出された座標メッシュ番号の数だけ、ステップＳ３００６とステップＳ３００８との間の繰り返し処理を実行する。すなわち、障害検出処理部２１６は、“全セル”に対応する“座標メッシュ番号”欄の内、抽出された座標メッシュ番号の“座標メッシュ番号”欄にフラグが立てられているか否かを判定する（ステップＳ３００７）。前述したように、“全セル”に対応する“座標メッシュ番号”欄に立てられたフラグは、報告管理表２２Ａで管理される全てのセルの内、あるセルへ送信された報知信号の無線品質が当該座標メッシュ番号の分割区域から報告されたことを示す。また、“全セル”に対応する“座標メッシュ番号”欄に立てられたフラグは、測定報告信号の送信といった移動端末装置１０による通信が当該区域において存在することを示す。
【００８０】
抽出された当該座標メッシュ番号に対して“座標メッシュ番号”欄にフラグが立てられていないと判定される場合（ステップＳ３００７で“ＮＯ”）、障害検出処理部２１６は、抽出された次の座標メッシュ番号に対してステップＳ３００７の判定処理を繰り返す。
【００８１】
抽出された全ての座標メッシュ番号に対してステップＳ３００７の判定処理が繰り返され、抽出された全ての座標メッシュ番号に対してフラグが立てられていないと判定される場合、障害検出処理部２１６は、当該セル番号のセルに対してデータ未取得と判定する（ステップＳ３００９）。すなわち、障害検出処理部２１６は、一連の障害検出処理が実行された当該監視周期において当該セル番号のセル内で移動端末装置１０による通信がなかったと判定し、当該セル番号のセルに対する障害発生の有無の判定を保留する。
【００８２】
図１３に示す一例では、セル番号Ａ−４のカバーエリアは、座標メッシュ番号４の分割区域である。そこで、障害検出処理部２１６は、“全セル”に対応する座標メッシュ番号４にフラグが立てられているか否かを判定する。図１３に示す一例では、フラグが立てられていないことを示す記号“−”が座標メッシュ番号４に記録されている。そこで、障害検出処理部２１６は、セル番号Ａ−４のセルに対してデータ未取得と判定し、セル番号Ａ−４のセルに対する障害発生の有無の判定を保留する。
【００８３】
一方、抽出された当該座標メッシュ番号に対してフラグが立てられていると判定される場合（ステップＳ３００７で“ＹＥＳ”）、障害検出処理部２１６は、当該セル番号のセルが障害検出処理を実行している当該無線基地局装置２０に対応するセルであるか否かを判定する（ステップＳ３０１０）。図１３に示す一例では、障害検出処理部２１６は、当該セル番号のセルが無線基地局装置２０Ａに対応するセルＡ−１〜Ａ−６の何れかのセルであるか否かを判定する。
【００８４】
当該セル番号のセルが障害検出処理を実行している当該無線基地局装置２０に対応するセルではないと判定される場合（ステップＳ３０１０で“ＮＯ”）、障害検出処理部２１６は、当該セル番号のセルに対して障害有りと判定する（ステップＳ３０１１）。障害検出処理を実行している当該無線基地局装置２０は、他の無線基地局装置２０に対応する各セルの運用状態を把握しない。そこで、障害検出処理部２１６は、他の無線基地局装置２０に対応する各セルの運用状態を運用中とみなし、運用中であるにもかかわらずカバーエリアとして記録された分割区域から無線品質が報告されないセルに対して障害有りと判定する。図１３に示す一例では、障害検出処理部２１６は、セルＢ−５に対して障害有りと判定する。
【００８５】
当該セル番号のセルが障害検出処理を実行している当該無線基地局装置２０に対応するセルであると判定される場合（ステップＳ３０１０で“ＹＥＳ”）、障害検出処理部２１６は、セル状態表２２Ｂ中の当該セルの運用状態を参照する（ステップＳ３０１２）。そして、障害検出処理部２１６は、当該セルの運用状態が運用中であるか否かを判定する（ステップＳ３０１３）。
【００８６】
図１４は、セル状態表の第１の例図である。図１４に示すように、セル状態表２２Ｂには、報告管理表２２Ａに登録された各セルの運用状態が記録される。記録され得る運用状態には、運用中、停波中、又は状態不明が挙げられる。停波中には、当該セルに対する保守中及び当該セルの故障中が含まれる。障害検出処理を実行している当該無線基地局装置２０は、当該無線基地局装置２０に対応する各セルの運用状態を把握し得るので、当該無線基地局装置２０に対応する各セルの運用状態として運用中又は停波中が記録される。一方、当該無線基地局装置２０は、他の無線基地局装置２０に対応する各セルの運用状態を把握しないので、他の無線基地局装置２０に対応する各セルの運用状態として図１４に示す記号“−”で表されるような状態不明が記録される。
【００８７】
当該セルの運用状態が運用中ではないと判定される場合（ステップＳ３０１３で“ＮＯ”）、障害検出処理部２１６は、当該セルに対して障害無しと判定する（ステップＳ３０１４）。図１３に示す一例では、障害検出処理部２１６は、Ａ−３に対して障害無しと判定する。
【００８８】
当該セルの運用状態が運用中であると判定される場合（ステップＳ３０１３で“ＹＥＳ”）、障害検出処理部２１６は、当該セルに対して障害有りと判定する（ステップＳ３０１１）。図１３に示す一例では、障害検出処理部２１６は、セルＡ−１に対して障害有りと判定する。
【００８９】
障害検出処理部２１６は、ステップＳ３００４、ステップＳ３００９、ステップＳ３０１１、又はステップＳ３０１４での障害判定結果を図１４に示す一例のようにセル状態表２２Ｂに記録する（ステップＳ３０１５）。そして、報告管理表２２Ａに登録されたセルの数だけ、ステップＳ３００２とステップＳ３０１６との間の繰り返し処理が実行されると、一連の障害検出処理は終了される（ステップＳ３０１７）。
【００９０】
障害検出処理部２１６は、障害有りと判定されたセルをアラーム信号送信部２１８へ通知する。また、障害検出処理部２１６は、当該無線基地局装置２０に対応するセルの内、障害有りと判定されたセルをセル管理部２１０へ通知する。図１４に示す一例では、障害検出処理部２１６は、障害有りと判定されたセルＡ−１及びセルＢ−５をアラーム信号送信部２１８へ通知し、障害有りと判定されたセルＡ−１をセル管理部２１０へ通知する。
【００９１】
障害有りと判定されたセルが通知された後、障害検出処理部２１６は、報告管理表２２Ａ内の“報告有無”欄及び“座標メッシュ番号”欄を全て初期化する。また、障害検出処理部２１６は、障害検出処理の完了をタイマ管理部２１７へ通知する。通知を受信したタイマ管理部２１７は、監視周期タイマをリセットし、監視周期タイマを再開する。
【００９２】
アラーム信号送信部２１８は、障害検出処理部２１６から通知されたセルに障害が検出されたことを示すアラーム信号を生成し、生成されたアラーム信号を障害監視装置４０へ送信する。アラーム信号送信部２１８から送信されたアラーム信号は、ネットワークインタフェース２５が提供するＳ１インタフェースといった第１のＩＰインタフェースを介して障害監視装置４０へ送信される。図１４に示す一例では、アラーム信号送信部２１８は、セルＡ−１及びセルＢ−５に対するアラーム信号をそれぞれ生成し、生成された各アラーム信号を障害監視装置４０へ送信する。
【００９３】
また、アラーム信号装置部２１８は、障害検出処理部２１６から通知されたセルの内、他の無線基地局装置２０に対応するセルに対するアラーム信号を当該他の無線基地局装置２０へ送信する。すなわち、アラーム信号送信部２１８から送信されたアラーム信号は、ネットワークインタフェース２５が提供するＸ２インタフェースといった第２のＩＰインタフェースを介して他の無線基地局装置２０へ送信される。図１４に示す一例では、アラーム信号送信部２１８は、セルＢ−５に対するアラーム信号をセルＢ−５に対応する無線基地局装置２０Ｂ（図５）へ送信する。
【００９４】
セル管理部２１０は、障害検出処理部２１６から通知されたセルの再設定処理を呼処理部２１１に指示する。図１４に示す一例では、セル管理部２１０は、セルＡ−１の再設定処理を呼処理部２１１に指示する。
【００９５】
呼処理部２１１は、セル管理部２１０より指示されたセルの再設定処理を行う。また、障害判定結果がデータ未取得とセル状態表２２Ｂに記録されたセルに対するアラーム信号が次の監視周期タイマの満了までに受信された場合、呼処理部２１１は、受信されたアラーム信号により示されるセルの再設定処理を行う。図１４に示した一例では、セルＡ−４に対する障害判定結果は、データ未取得と記録されている。そこで、セルＡ−４に対するアラーム信号が無線基地局装置２０Ｂ〜２０Ｇの内の任意の無線基地局装置２０から送信され得る。セルＡ−４に対するアラーム信号が次の監視周期タイマの満了までに受信された場合、無線基地局装置２０Ａの呼処理部２１１は、セルＡ−４の再設定処理を行う。
【００９６】
発生した障害が呼処理に関するバグといったソフトウェアに起因する場合、呼処理部２１１による再設定処理によってセルの障害は復旧され得る。また、発生した障害が無線通信インタフェース２３の故障といったハードウェアに起因する場合、保守管理者は、障害監視装置４０へ通知された障害アラームによって、障害が発生したセルを特定し、特定されたセルの復旧作業を行い得る。
【００９７】
このように、第１の実施形態に従った無線基地局装置によれば、無線基地局装置から対応するセルへの送信機能に発生した障害をサイレント障害とせずに検出できる。また、第１の実施形態に従った無線基地局装置によれば、障害発生が検出されたセルを早期に特定でき、早期に復旧し得る。
【００９８】
＜第２の実施形態＞
第２の実施形態に従った無線基地局装置は、第１の実施形態に従った無線基地局装置と同様に、無線基地局装置から対応するセルへの送信機能に発生した障害をサイレント障害とせずに検出するように構成される。例えば、第２の実施形態に従った無線基地局装置は、第１のセルのカバーエリア内に存在する移動端末装置１０により測定された第２のセルに対する測定報告を含み第１のセルに対する測定報告を含まない測定報告信号が受信されると判定すると、第１のセル対する障害を検出する。
【００９９】
図１５は、第２の実施形態に従った無線基地局装置の例示的な構成図である。図１５において、無線基地局装置２０と同様の構成要素に対しては、第２の実施形態に従った無線基地局装置５０の構成要素に同じ参照符号がふられている。図１５に示すように、無線基地局装置５０は、ＣＰＵ２１、メモリ２２、無線通信インタフェース２３、アンテナ２４、及びネットワークインタフェース２５を含む。また、図１５に示すように、無線基地局装置５０のＣＰＵ２１は、呼処理監視制御部５１Ａを含む。無線基地局装置５０のメモリ２２は、カバーエリア表５２Ａ、カバー率表５２Ｂ、及びセル状態表２２Ｂを含む。
【０１００】
呼処理監視制御部５１Ａは、無線基地局装置５０に接続を要求した移動端末装置１０と無線基地局装置５０との間で送受信される信号や、無線基地局装置５０が形成するセル内に存在する移動端末装置１０への発呼に応じて送受信される信号等を処理する。また、呼処理監視制御部５１Ａは、無線基地局装置５０内における障害の発生を監視する。
【０１０１】
カバーエリア表５２Ａは、当該分割区域内に存在する移動端末装置１０から報知信号の無線品質が報告されたセルが分割区域毎に記録されるテーブルである。分割区域とは、無線基地局装置５０の通信エリアを含む無線基地局装置５０の周辺地域が分割された区域を指す。カバー率表５２Ｂは、カバー率がセル毎に記録されるテーブルである。カバー率とは、最大区域数に対する登録区域数の割合である。最大区域数とは、過去から現時点までに当該セルの無線品質が報告された分割区域の最大数を指し、登録区域数とは、現時点で当該セルの無線品質が報告され得る分割区域の数を指す。セル状態表２２Ｂは、運用状態に基づく障害発生の有無がセル毎に記録されるテーブルである。
【０１０２】
図１６は、第２の実施形態に従った呼処理監視制御部の例示的な構成図である。図１６において、呼処理監視制御部２１Ａと同様の構成要素に対しては、呼処理監視制御部５１Ａの構成要素に同じ参照符号がふられている。図１６に示すように、呼処理監視制御部５１Ａは、セル管理部２１０、呼処理部２１１、報知信号送信部２１２、測定信号通信部２１３、及び移動端末装置用通信部２１４を含む。また、呼処理監視制御部５１Ａは、障害検出処理部５１１、アラーム信号送信部２１８、及び他ノード用通信部２１９を含む。
【０１０３】
セル管理部２１０、呼処理部２１１、報知信号送信部２１２、測定信号通信部２１３、移動端末装置用通信部２１４、アラーム信号送信部２１８、及び他ノード用通信部２１９の各動作は、それらの構成要素が無線基地局装置５０において動作する点を除いて、呼処理監視制御部２１Ａに含まれるそれらの構成要素の各動作と同様であってよい。
【０１０４】
障害検出処理部５１１は、測定信号通信部２１３が受信した測定報告信号に含まれる無線品質の測定報告をカバーエリア表５２Ａ及びカバー率表５２Ｂに記録する。そして、障害検出処理部５１１は、測定報告が記録されたカバーエリア表５２Ａ及びカバー率表５２Ｂと、当該無線基地局装置５０及び周辺の無線基地局装置５０の各セルの運用状態が記録されたセル状態表２２Ｂとを用いて、各セルに対する障害発生の有無を判定する。すなわち、障害検出処理部５１１は、報知信号及び測定指示信号を含む電波が当該無線基地局装置５０から送信されていないセルを障害が発生したセルとして検出する。
【０１０５】
具体的には、障害検出処理部５１１は、測定信号通信部２１３により受信された測定報告信号に含まれる移動端末装置１０の位置情報に従って、受信された測定報告信号を送信した移動端末装置１０の位置を特定する。そして、障害検出処理部５１１は、無線基地局装置５０の周辺地域が分割された分割地域の中から特定された位置を含む分割区域を抽出し、受信された測定報告信号が送信された位置を抽出された分割区域に変換する。また、障害検出処理部５１１は、受信された測定報告信号に含まれる無線品質が報告されたセルを抽出する。
【０１０６】
障害検出処理部５１１は、測定報告信号から抽出された分割区域と測定報告信号から抽出された全てのセルとを相互に対応付けてカバーエリア表５２Ａに記録する。すなわち、抽出されたセルが抽出された分割区域に対応付けてカバーエリア表５２Ａに記録されていない場合、障害検出処理部５１１は、抽出されたセルを抽出された分割区域に新たに対応付けて記録する。一方、抽出された分割区域に対応付けてカバーエリア表５２Ａに既に記録されたセルの中に、測定報告信号から抽出されないセルが存在する場合、障害検出処理部５１１は、抽出された分割区域に対応付けた当該セルを記録から削除する。障害検出処理部５１１による記録処理の結果、当該分割区域において報知信号の無線品質が報告されたセルが分割区域毎にカバーエリア表５２Ａに記録される。
【０１０７】
障害検出処理部５１１は、測定報告信号から抽出された分割区域を、測定報告信号から抽出されたセルのカバーエリアとしてカバー率表５２Ｂに記録する。また、障害検出処理部５１１は、測定報告信号から抽出されたセルに対して、登録区域数、最大区域数、及びカバー率を計算する。すなわち、抽出されたセルが抽出された分割区域に対応付けてカバーエリア表５２Ａに記録されていない場合には、障害検出処理部５１１は、抽出された分割区域を抽出されたセルのカバーエリアとしてカバー率表５２Ｂに新たに記録する。また、障害検出処理部５１１は、抽出されたセルの登録区域数及び最大区域数を加算し、抽出されたセルのカバー率を計算する。一方、抽出された分割区域に対応付けてカバーエリア表５２Ａに既に記録されたセルの中に、測定報告信号から抽出されないセルが存在する場合、障害検出処理部５１１は、当該分割区域を抽出されたセルのカバーエリアとしての記録から削除する。また、障害検出処理部５１１は、抽出されたセルの登録区域数を減算し、抽出されたセルのカバー率を計算する。
【０１０８】
カバー率が計算された結果、当該セルのカバー率が所定の閾値を下回る場合、障害検出処理部５１１は、当該セルの運用状態が運用中であるか否かをセル状態表２２Ｂを参照して確認する。当該セルの運用状態が運用中であると確認された場合、障害検出処理部５１１は、当該セルに対して障害有りと判定する。一方、当該セルの運用状態が停止中であると確認された場合、障害検出処理部５１１は、当該セルに対して障害発生の有無の判定を保留する。判定が保留されたセルに対する障害は、他の無線基地局装置５０から送信されたアラーム信号によって検知され得る。
【０１０９】
障害検出処理部５１１は、障害有りと判定されたセルをアラーム信号送信部２１８へ通知する。アラーム信号送信部２１８は、障害検出処理部５１１により通知されたセルに障害が発生したことを示すアラーム信号を生成し、生成されたアラーム信号を他ノード用通信部２１９を介して障害監視装置４０へ送信する。また、通知されたセルが周辺の無線基地局装置５０に対応するセルである場合、アラーム信号送信部２１８は、生成されたアラーム信号を障害監視装置４０へ送信すると共に、他ノード用通信部２１９を介して当該セルに対応する無線基地局装置５０へ送信する。
【０１１０】
障害検出処理部５１１は、障害有りと判定されたセルの内、当該無線基地局装置５０に対応するセルをセル管理部２１０へ通知する。セル管理部２１０は、障害検出処理部５１１より障害の発生が通知されたセルの再設定処理を呼処理部２１１へ指示する。
【０１１１】
呼処理部２１１は、セル管理部２１０より指示されたセルの再設定処理を行う。また、障害発生の有無の判定が保留されたセルに対するアラーム信号が他の無線基地局装置５０から送信され、他ノード用通信部２１９を介して受信された場合、呼処理部２１１は、受信されたアラーム信号により示される当該セルの再設定処理を行う。
【０１１２】
第２の実施形態に従った無線システムは、無線基地局装置２０の代わりに無線基地局装置５０を含む点を除いて、図１に示した無線システム１と同様の構成であってよい。
【０１１３】
無線基地局装置５０が実行する障害検出方法の一例を説明する。第２の実施形態に従った障害検出方法を実行する無線基地局装置５０及び周辺の無線基地局装置５０の配置は、例えば、図５に示す無線基地局装置２０Ａ〜２０Ｇと同様の配置であってよい。なお、図５に示す配置は、一例にすぎず、各無線基地局装置５０の配置は、任意であってよく、ある無線基地局装置５０の周辺に存在する無線基地局装置５０の数は、任意の数であってよい。また、各無線基地局装置５０の通信エリアの形状は、図５に示したような楕円でなくてよい。以下の説明では、無線基地局装置５０の一例である無線基地局装置５０Ａ〜５０Ｇに図５に示す無線基地局装置２０Ａ〜２０Ｇをそれぞれ置き換えて、無線基地局装置５０Ａが実行する障害検出方法を具体例として説明する。
【０１１４】
まず、無線基地局装置５０は、図１７に示すようなフォーマットのカバーエリア表５２Ａをメモリ２２内に予め保持する。また、無線基地局装置５０は、図１８に示すようなフォーマットのカバー率表５２Ｂをメモリ２２内に予め保持する。
【０１１５】
図１７は、カバーエリア表の例図である。図１７には、無線基地局装置５０Ａのメモリ２２に保持されるカバーエリア表５２Ａの一例が示されている。図１７に示す一例では、カバーエリア表５２Ａには、座標メッシュ番号及び報告セル番号が記録項目として含まれる。
【０１１６】
座標メッシュ番号は、無線基地局装置５０の周辺地域が分割された各分割区域の識別番号を示す。図１９は、無線基地局装置の周辺区域に割り当てられた座標メッシュ番号の第２の例図である。図１９において、無線基地局装置５０Ａ〜５０Ｃのそれぞれの周囲に図示された楕円は、無線基地局装置５０Ａ〜５０Ｃのそれぞれの通信エリアを表す。図１９には図示されていないが、無線基地局装置５０Ａの通信エリアは、図７に示す無線基地局装置２０Ａの通信エリアと同様に、セルＡ−１〜セルＡ６により形成される。図１９に示す一例では、無線基地局装置５０Ａの通信エリアを含む無線基地局装置５０Ａの周辺地域は、緯度及び経度によってメッシュ状に９６個の分割区域に分割され、分割された各分割区域には、固有の座標メッシュ番号１〜９６が割り当てられる。そこで、図１７に示す一例では、カバーエリア表５２Ａの“座標メッシュ番号”欄の各行には、座標メッシュ番号１〜９６が登録される。なお、図１７に記載された座標メッシュ番号“…”は、図１７中に明示された座標メッシュ番号以外のある座標メッシュ番号を表す。また、図１９は、説明のための例示にすぎず、無線基地局装置５０Ａの周辺地域の分割方法及び座標メッシュ番号の割り当て方法は、任意の方法であってよい。
【０１１７】
報告セル番号は、当該分割区域内に存在する移動端末装置１０から送信された測定報告信号によって報知信号の無線品質が報告されたセルの識別子を指す。カバーエリア表５２Ａに記録される報告セル番号には、当該無線基地局装置５０に対応する各セルのセル番号、及び周辺の無線基地局装置５０に対応する各セルのセル番号が含まれ得る。図５に示す配置例では、無線基地局装置５０Ａに対応する各セルの番号と、周辺の無線基地局装置５０Ｂ〜５０Ｇに対応する各セルの番号とが含まれ得る。
【０１１８】
図１８は、カバー率表の例図である。図１８には、無線基地局装置５０Ａのメモリ２２に保持されるカバー率表５２Ｂの一例が示されている。図１８に示す一例では、カバー率表５２Ｂには、セル番号、座標メッシュ番号、登録区域数、最大区域数、及びカバー率が記録項目として含まれる。
【０１１９】
セル番号は、当該無線基地局装置５０に対応する各セルの識別子、及び周辺の無線基地局装置５０に対応する各セルの識別子である。図５に示す配置例では、無線基地局装置５０Ａに対応する各セルの番号と、周辺の無線基地局装置５０Ｂ〜５０Ｇに対応する各セルの番号とが“セル番号”欄の各行に予め登録される。なお、図１８に記載されたセル番号“…”は、図１８中に明示されたセル番号以外のあるセル番号を表す。
【０１２０】
座標メッシュ番号は、カバーエリア表５２Ａの座標メッシュ番号と同様に、無線基地局装置５０の周辺地域が分割された各分割区域の識別番号を示す。カバー率表５２Ｂの“座標メッシュ番号”欄には、対応する当該セル番号のセルのカバーエリアを構成する分割区域の座標メッシュ番号が記録される。
【０１２１】
登録区域数は、現時点で当該セルの無線品質が報告され得る分割区域の数を指す。登録区域数は、現時点で受信された測定報告信号から判定された当該セルに対する現在のカバーエリアの広さに対応する。最大区域数は、過去から現時点までに当該セルの無線品質が報告された分割区域の最大数を指す。最大区域数は、現時点までに受信された測定報告信号から判定された当該セルに対するカバーエリアの最大の広さに対応する。カバー率とは、最大区域数に対する登録区域数の割合である。
【０１２２】
カバーエリア表５２Ａ及びカバー率表５２Ｂは、無線基地局装置５０が設置された時、無線基地局装置５０に対応するセルの構成が変更された時、及び周辺の無線基地局装置５０に対応するセルの構成が変更された時に初期状態に設定される。なお、図１７及び図１８に記載された記号“−”は、初期値を示す。初期値は、例えば、数値“０”であってよい。また、図１７に示すようなカバーエリア表５２Ａ及び図１８に示すようなカバー率表５２Ｂは、無線基地局装置５０が使用する周波数毎に保持され得る。
【０１２３】
カバーエリア表５２Ａ及びカバー率表５２Ｂが保持された後、無線基地局装置５０の報知信号送信部２１２は、当該無線基地局装置５０に対応する各セルへ報知信号を送信する。例えば、無線基地局装置５０Ａの報知信号送信部２１２は、図７に示すようなセルＡ−１〜セルＡ６へ報知信号を送信する。また、周辺の無線基地局装置５０Ｂ〜５０Ｇの各報知信号送信部２１２は、対応する各セルへ報知信号を送信する。
【０１２４】
測定信号通信部２１３は、送信された測定指示信号に従って移動端末装置１０から送信された測定報告信号を受信する。受信される測定報告信号は、図８に示す一例のように、位置情報と１つ以上のセルの品質情報とが含まれる。測定報告信号に含まれる位置情報は、無線品質を測定した移動端末装置１０の位置を示す情報であり、例えば、移動端末装置１０が存在する位置の緯度及び経度を含む。測定報告信号に含まれる各品質情報は、移動端末装置１０が測定した報知信号の無線品質とその報知信号が送信されたセルのセル番号（セル識別子）とを含む。
【０１２５】
障害検出処理部５１１は、測定信号通信部２１３により受信された測定報告信号を用いて、障害検出処理を実行する。図２０Ａ及び図２０Ｂは、第２の実施形態に従った障害検出処理部が実行する例示的な障害検出処理のフロー図である。
【０１２６】
測定報告信号が受信され、一連の障害検出処理が開始されると（ステップＳ４００１）、障害検出処理部５１１は、測定信号通信部２１３により受信された測定報告信号に含まれる位置情報に従って、受信された測定報告信号を送信した移動端末装置１０の位置を特定する。そして、障害検出処理部５１１は、特定された位置を含む分割区域に、受信された測定報告信号が送信された位置を変換し、変換された分割区域の座標メッシュ番号を抽出する（ステップＳ４００２）。
【０１２７】
障害検出処理部５１１は、測定信号通信部２１３により受信された測定報告信号から無線品質が報告された全てのセルのセル番号を抽出する（ステップＳ４００３）。そして、障害検出処理部５１１は、抽出された座標メッシュ番号に対応してカバーエリア表５２Ａに記録された報告セル番号と、抽出されたセルのセル番号とを比較する（ステップＳ４００４）。
【０１２８】
ステップＳ４００４での比較の結果、抽出されたセルのセル番号の中に、抽出された座標メッシュ番号に対応する報告セル番号としてカバーエリア表５２Ａに記録されていないセル番号が存在する場合（ステップＳ４００４で“（１）”）、一連の障害検出処理は、ステップＳ４００５の処理へ進められる。
【０１２９】
カバーエリア表５２Ａにおいて、障害検出処理部５１１は、抽出された座標メッシュ番号に対応する“報告セル番号”欄に、抽出された当該セルのセル番号を追加登録する（ステップＳ４００５）。また、カバー率表５２Ｂにおいて、障害検出処理部５１１は、抽出された当該セルのセル番号に対応する“座標メッシュ番号”欄に、抽出された座標メッシュ番号を追加登録する（ステップＳ４００６）。
【０１３０】
障害検出処理部５１１は、抽出された当該セルのセル番号に対応する分割区域数に１を加算する（ステップＳ４００７）。そして、障害検出処理部５１１は、加算された当該セルの分割区域数が当該セルの最大分割数よりも大きいか否かを判定する（ステップＳ４００８）。
【０１３１】
加算された当該セルの分割区域数が当該セルの最大分割数よりも大きいと判定される場合（ステップＳ４００８で“ＹＥＳ”）、障害検出処理部５１１は、加算された当該セルの分割区域数を当該セルの最大分割数としてカバー率表５２Ｂに記録する（ステップＳ４００９）。加算された当該セルの分割区域数が当該セルの最大分割数以下であると判定される場合（ステップＳ４００８で“ＮＯ”）、障害検出処理部５１１は、ステップＳ４０１０の処理へ進む。
【０１３２】
障害検出処理部５１１は、当該セルの分割区域数を当該セルの最大分割数で除算して、当該セルのカバー率を計算する（ステップＳ４０１０）。そして、障害検出処理部５１１は、受信された測定報告信号に対する一連の障害検出処理を終了する（ステップＳ４０２１）。
【０１３３】
ステップＳ４００６〜ステップＳ４０１０の処理の一例を説明する。例えば、カバーエリア表５２Ａ及びカバー率表５２Ｂが図１７及び図１８に示すような初期状態であるときに、測定報告信号が受信されたと仮定する。また、受信された測定報告信号の位置座標に従って抽出された分割区域の座標メッシュ番号は、３３であると仮定する。受信された測定報告信号により無線品質が報告されたセルのセル番号は、セルＡ−２、セルＡ−３、セルＢ−４、及びセルＢ−５であると仮定する。カバーエリア表５２Ａが初期状態である場合、抽出された座標メッシュ番号３３に対応する“報告セル番号”欄には、報告セル番号が記録されていない。そこで、障害検出処理部５１１は、抽出されたセルのセル番号の中に、抽出された座標メッシュ番号に対応する報告セル番号としてカバーエリア表５２Ａに記録されていないセル番号Ａ−２、セルＡ−３、セルＢ−４、及びセルＢ−５が存在すると判定する（ステップＳ４００４で“（１）”）。
【０１３４】
図２１は、登録処理されたカバーエリア表の例図である。ステップＳ４００５において、障害検出処理部５１１は、座標メッシュ番号３３に対応する“報告セル番号”欄にセル番号としてのセルＡ−２、セルＡ−３、セルＢ−４、及びセルＢ−５を追加登録する（図２１）。
【０１３５】
図２２は、登録処理されたカバー率表の例図である。ステップＳ４００６において、障害検出処理部５１１は、セルＡ−２、セルＡ−３、セルＢ−４、及びセルＢ−５に対応する各“座標メッシュ番号”欄に、抽出された座標メッシュ番号３３を追加登録する（図２２）。ステップＳ４００７において、障害検出処理部５１１は、セルＡ−２、セルＡ−３、セルＢ−４、及びセルＢ−５に対応する各登録区域数に“１”を加算する（図２２）。加算された登録区域数“１”は、初期化状態の最大区域数“０”より大きいため（ステップＳ４００８で“ＹＥＳ”）、ステップＳ４００９において、障害検出処理部５１１は、セルＡ−２、セルＡ−３、セルＢ−４、及びセルＢ−５に対応する各最大区域数を登録区域数と同数の“１”に変更する（図２２）。ステップＳ４０１０において、障害検出処理部５１１は、登録区域数“１”を最大区域数“１”で除算することにより各々のカバー率を計算し、計算されたカバー率“１００％”を記録する（図２２）。
【０１３６】
ステップＳ４００４での比較の結果、受信された測定報告信号から抽出された全てのセルのセル番号と、抽出された座標メッシュ番号に対応してカバーエリア表５２Ａに記録された全ての報告セル番号とが一致する場合（ステップＳ４００４で“（２）”）、受信された当該測定報告信号に対する一連の障害検出処理は、終了される（ステップＳ４０２１）。
【０１３７】
例えば、カバーエリア表５２Ａ及びカバー率表５２Ｂが図２３及び図２４に示すような記録状態であるときに、測定報告信号が受信されたと仮定する。図２３は、ある時点におけるカバーエリア表の例図である。図２４は、ある時点におけるカバー率表の例図である。また、受信された測定報告信号の位置座標に従って抽出された分割区域の座標メッシュ番号は、３２であると仮定する。受信された測定報告信号により無線品質が報告されたセルは、セルＡ−２、セルＡ−３、及びセルＢ−５であると仮定する。
【０１３８】
カバーエリア表５２Ａが図２３に示す記録状態である場合、抽出された座標メッシュ番号３２に対応する“報告セル番号”欄には報告セル番号としてセルＡ−２、セルＡ−３、及びセルＢ−５が記録されている。そこで、障害検出処理部５１１は、受信された測定報告信号から抽出された全てのセルのセル番号と、抽出された座標メッシュ番号に対応してカバーエリア表５２Ａに記録された全ての報告セル番号とが一致と判定する（ステップＳ４００４で“（２）”）。ステップＳ４００４で“（２）”と判定される場合、カバーエリア表５２Ａ及びカバー率表５２Ｂに既に記録されたセルへ送信された電波の受信環境に変化はない。そこで、障害検出処理部５１１は、一連の障害検出処理を終了する（ステップＳ４０２１）。
【０１３９】
ステップＳ４００４での比較の結果、受信された測定報告信号から抽出された座標メッシュ番号に対応してカバーエリア表５２Ａに既に記録された報告セル番号の中に、受信された測定報告信号から抽出されない報告セル番号が存在する場合（ステップＳ４００４で“（３）”）、一連の障害検出処理は、ステップＳ４０１１の処理へ進められる。
【０１４０】
カバーエリア表５２Ａにおいて、障害検出処理部５１１は、抽出された座標メッシュ番号に対応する“報告セル番号”欄から当該報告セル番号を削除する（ステップＳ４０１１）。また、カバー率表５２Ｂにおいて、障害検出処理部５１１は、当該報告セル番号と同じセル番号に対応する“座標メッシュ番号”欄から、抽出された座標メッシュ番号を削除する（ステップＳ４０１２）。
【０１４１】
カバー率表５２Ｂにおいて、障害検出処理部５１１は、当該報告セル番号と同じセル番号に対応する分割区域数から１を減算する。そして、障害検出処理部５１１は、減算された当該セルの分割区域数を当該セルの最大分割数で除算して、当該セルのカバー率を計算する（ステップＳ４０１３）。障害検出処理部５１１は、計算されたカバー率が所定の閾値未満であるか否かを判定する（ステップＳ４０１４）。
【０１４２】
計算されたカバー率が所定の閾値以上であると判定される場合（ステップＳ４０１４で“ＮＯ”）、障害検出処理部５１１は、当該報告セル番号のセルに対して障害無しと判定する（ステップＳ４０１９）。一方、計算されたカバー率が所定の閾値未満であると判定される場合（ステップＳ４０１４で“ＹＥＳ”）、障害検出処理部５１１は、当該報告セル番号のセルが一連の障害検出処理を実行している当該無線基地局装置５０に対応するセルであるか否かを判定する（ステップＳ４０１５）。
【０１４３】
当該報告セル番号のセルが障害検出処理を実行している当該無線基地局装置５０に対応するセルではないと判定される場合（ステップＳ４０１５で“ＮＯ”）、障害検出処理部５１１は、当該セル番号のセルに対して障害有りと判定する（ステップＳ４０１６）。障害検出処理を実行している当該無線基地局装置５０は、他の無線基地局装置５０に対応する各セルの運用状態を把握しない。そこで、障害検出処理部５１１は、他の無線基地局装置５０に対応する各セルの運用状態を運用中とみなし、運用中であるにもかかわらずカバーエリアとして記録された分割区域から無線品質が報告されないセルに対して障害有りと判定する。
【０１４４】
当該報告セル番号のセルが当該無線基地局装置５０に対応するセルであると判定される場合（ステップＳ４０１５で“ＹＥＳ”）、障害検出処理部５１１は、セル状態表２２Ｂを参照する（ステップＳ４０１７）。そして、障害検出処理部５１１は、当該報告セル番号のセルの運用状態が運用中であるか否かを確認する（ステップＳ４０１８）。
【０１４５】
当該報告セル番号のセルの運用状態が停波中であると確認される場合（ステップＳ４０１８で“ＮＯ”）、障害検出処理部５１１は、当該報告セル番号のセルに対して障害無しと判定する（ステップＳ４０１９）。一方、当該報告セル番号のセルの運用状態が運用中であると確認される場合（ステップＳ４０１８で“ＹＥＳ”）、障害検出処理部５１１は、当該報告セル番号のセルに対して障害有りと判定する（ステップＳ４０１６）。
【０１４６】
障害検出処理部５１１は、ステップＳ４０１６又はステップＳ４０１９での障害判定結果をセル状態表２２Ｂに記録する（ステップＳ４０２０）。そして、受信された当該測定報告信号に対する一連の障害検出処理は終了される（ステップＳ４０２１）。
【０１４７】
ステップＳ４０１１〜ステップＳ４０２０の処理の一例を説明する。例えば、ある時点においてカバーエリア表５２Ａ及びカバー率表５２Ｂが図２３及び図２４にそれぞれ示すような記録状態であったときに、測定報告信号が受信されたと仮定する。また、受信された測定報告信号の位置座標に従って抽出された分割区域の座標メッシュ番号は、３３であると仮定する。受信された測定報告信号により無線品質が報告されたセルのセル番号は、セルＡ−３、セルＢ−４、及びセルＢ−５であると仮定する。
【０１４８】
カバーエリア表５２Ａが図２３に示すような記録状態である場合、抽出された座標メッシュ番号３３に対応する“報告セル番号”欄に記録された報告セル番号Ａ−２は、受信された測定報告信号により報告されたセル番号に存在しない。そこで、障害検出処理部５１１は、受信された測定報告信号から抽出された座標メッシュ番号３３に対応してカバーエリア表５２Ａに既に記録された報告セル番号の中に、受信された測定報告信号から抽出されない報告セル番号Ａ−２が存在すると判定する（ステップＳ４００４で“（３）”）。
【０１４９】
図２５は、削除処理されたカバーエリア表の例図である。ステップＳ４０１１において、障害検出処理部５１１は、カバーエリア表５２Ａ内で抽出された座標メッシュ番号３３に対応する“報告セル番号”欄から報告セル番号Ａ−２を削除する（図２５）。
【０１５０】
図２６は、削除処理されたカバー率表の例図である。ステップＳ４０１２において、障害検出処理部５１１は、カバー率表５２Ｂ内で報告セル番号Ａ−２と同じセル番号に対応する“座標メッシュ番号”欄から、抽出された座標メッシュ番号３３を削除する（図２６）。ステップＳ４０１３において、障害検出処理部５１１は、カバー率表５２Ｂにおいて報告セル番号Ａ−２と同じセル番号に対応する分割区域数“１５”から１を減算する（図２６）。そして、障害検出処理部５１１は、減算された当該セルの分割区域数“１４”を当該セルの最大分割数“１５”で除算し、当該セルのカバー率“９３％”を計算する（図２６）。ステップＳ４０１４において、障害検出処理部５１１は、計算されたカバー率が所定の閾値未満であるか否かを判定する。
【０１５１】
例えば、所定の閾値が９０％に設定されていたと仮定する。この場合、ステップＳ４０１４において、障害検出処理部５１１は、計算されたカバー率（“９３％”）が所定の閾値（“９０％”）以上であると判定する。そこで、ステップＳ４０１９において、障害検出処理部５１１は、報告セル番号Ａ−２のセルに対して障害無しと判定する。ステップＳ４０２０において、障害検出処理部５１１は、報告セル番号Ａ−２の障害判定結果として障害無しとセル状態表２２Ｂに記録する。そして、ステップＳ４０２１において、受信された当該測定報告信号に対する一連の障害検出処理は終了される。
【０１５２】
その後、測定報告信号が新たに受信されたと仮定する。新たに受信された測定報告信号の位置座標に従って抽出された分割区域の座標メッシュ番号は、３４であると仮定する。また、受信された測定報告信号により無線品質が報告されたセルのセル番号は、セルＡ−３、セルＢ−４、及びセルＢ−５であると仮定する。図２５に示すカバーエリア表５２Ａでは、座標メッシュ番号３４に対応する報告セル番号は、セルＡ−２、セルＡ−３、セルＢ−４、及びセルＢ−５である。しかしながら、新たに受信された測定報告信号においては、セルＡ−２の無線品質が報告されていない。
【０１５３】
同一のセルに対する報知信号の無線品質が複数の測定報告信号において報告されないこうしたケースは、例えば、報知信号及び測定指示信号といった電波が無線基地局装置５０ＡからセルＡ−２へ送信されないときに発生し得る。無線基地局装置５０ＡからセルＡ−２への送信機能に障害が発生した場合、セルＡ−２の内外に存在する移動端末装置１０は、セルＡ−２の報知信号を受信できない。このため、任意の分割区域中に存在する移動端末装置１０から送信される全ての測定報告信号には、セルＡ−２の無線品質情報が含まれない。すなわち、図２６に示すカバー率表５２Ｂでは、座標メッシュ番号１８〜２２、３０〜３２、３４〜３５、及び４２〜４５の各分割区域内に存在する移動端末装置１０から送信された測定報告信号には、セルＡ−２の無線品質情報が含まれなくなる。
【０１５４】
このように、無線基地局装置５０ＡからセルＡ−２への送信機能に障害が発生した場合、受信された測定報告信号から抽出された座標メッシュ番号に対応してカバーエリア表５２Ａに既に記録された報告セル番号の中に、受信された測定報告信号から抽出されない報告セル番号Ａ−２が存在すると判定され得る（ステップＳ４００４で“（３）”）。この結果、ステップＳ４０１１〜Ｓ４０１３の処理が繰り返され、カバー率表５２Ｂにおいて報告セル番号Ａ−２に対応する登録区域数は減少し、セルＡ−２のカバー率は、閾値未満に低下する（ステップＳ４０１４で“ＹＥＳ”）。
【０１５５】
図２７は、セル状態表の第２の例図である。セルＡ−２は、一連の障害検出処理を実行している無線基地局装置５０Ａに対応するセルである（ステップＳ４０１５で“ＹＥＳ”）。そこで、図２７に示すセル状態表２２ＢのようにセルＡ−２の運用状態が運用中であると確認されると（ステップＳ４０１８で“ＹＥＳ”）、障害検出処理部５１１は、セルＡ−２に対して障害有りと判定する（ステップＳ４０１６）。そして、図２７に示すように、障害検出処理部５１１は、セルＡ−２に対応する“障害判定結果”欄に障害有りと記録する（ステップＳ４０２０）。
【０１５６】
障害検出処理部５１１は、障害有りと判定されたセルをアラーム信号送信部２１８へ通知する。また、障害検出処理部５１１は、当該無線基地局装置５０に対応するセルの内、障害有りと判定されたセルをセル管理部２１０へ通知する。図２３〜図２７を用いて前述した一例では、障害検出処理部５１１は、障害有りと判定されたセルＡ−２をアラーム信号送信部２１８へ通知する。
【０１５７】
アラーム信号送信部２１８は、障害検出処理部５１１から通知されたセルに障害が検出されたことを示すアラーム信号を生成し、生成されたアラーム信号を障害監視装置４０へ送信する。アラーム信号送信部２１８から送信されたアラーム信号は、ネットワークインタフェース２５が提供するＳ１インタフェースといった第１のＩＰインタフェースを介して障害監視装置４０へ送信される。図２３〜図２７を用いて前述した一例では、アラーム信号送信部２１８は、セルＡ−２に対するアラーム信号を生成し、生成された各アラーム信号を障害監視装置４０へ送信する。
【０１５８】
また、アラーム信号装置部２１８は、障害検出処理部５１１から通知されたセルの内、他の無線基地局装置５０に対応するセルに対するアラーム信号を当該他の無線基地局装置５０へ送信する。アラーム信号送信部２１８から送信されたアラーム信号は、ネットワークインタフェース２５が提供するＸ２インタフェースといった第２のＩＰインタフェースを介して他の無線基地局装置５０へ送信される。
【０１５９】
セル管理部２１０は、障害検出処理部５１１から通知されたセルの再設定処理を呼処理部２１１へ指示する。前述した一例では、セル管理部２１０は、セルＡ−２の再設定処理を呼処理部２１１へ指示する。
【０１６０】
呼処理部２１１は、セル管理部２１０より指示されたセルの再設定処理を行う。また、他の無線基地局装置５０から送信されたアラーム信号が受信された場合、呼処理部２１１は、受信されたアラーム信号により示されるセルの再設定処理を行う。
【０１６１】
発生した障害が呼処理に関するバグといったソフトウェアに起因する場合、呼処理部２１１による再設定処理によってセルの障害は復旧され得る。また、発生した障害が無線通信インタフェース２３の故障といったハードウェアに起因する場合、保守管理者は、障害監視装置４０へ通知された障害アラームによって、障害が発生したセルを特定し、特定されたセルの復旧作業を行い得る。
【０１６２】
このように、第２の実施形態に従った無線基地局装置によれば、無線基地局装置から対応するセルへの送信機能に発生した障害をサイレント障害とせずに検出できる。また、第２の実施形態に従った無線基地局装置によれば、障害発生が検出されたセルを早期に特定でき、早期に復旧し得る。
【０１６３】
以上の実施形態を含む本発明の実施形態に関し、更に以下の付記を開示する。
（付記１）
無線基地局装置に対応するセルへ報知信号を送信する報知信号送信部と、
前記報知信号送信部により送信された前記報知信号の無線品質の測定を指示する測定指示信号を前記セルに存在する移動端末装置へ送信し、前記セルに対する前記無線品質の測定を報告する測定報告信号を前記移動端末装置から受信する測定信号通信部と、
前記測定信号通信部により受信された前記測定報告信号に第１のセルに対する無線品質の測定報告が含まれない場合に、前記第１のセルのカバーエリア内に存在する移動端末装置により測定された第２のセルに対する無線品質の測定報告を含む測定報告信号が受信されたか否かに従って、前記無線基地局装置から前記第１のセルへの送信機能に関する前記第１のセルの障害を検出する障害検出処理部と、
前記障害検出部により前記第１のセルに障害が検出された場合に、障害が検出された前記第１のセルの通知を前記障害検出処理部から受信し、前記第１のセルの障害発生を通知するアラーム信号を障害監視装置へ送信するアラーム信号送信部と
を含む無線基地局装置。
（付記２）
各セルの障害発生を所定の監視周期で監視する監視周期タイマを管理するタイマ管理部と、
前記タイマ管理部により管理される前記監視周期タイマが満了するまでに受信された各測定報告信号に対して、受信された測定報告信号により無線品質が報告されたセルと、前記無線基地局装置の周辺地域が分割された分割区域の中で、受信された前記測定報告信号を送信した移動端末装置の位置を含む分割区域とを抽出し、抽出された前記セルと抽出された前記分割区域とを対応づけて報告管理表に記録する位置座標検出部と、
を更に含み、
前記障害検出処理部は、
前記タイマ管理部により管理される前記監視周期タイマ満了後に、抽出された前記セルに対応付けて記録された前記分割区域を、抽出された前記セルのカバーエリアとして前記報告管理表に記録し、
前記第１のセルに対する無線品質の測定報告が前記報告管理表に無く、前記第１のセルの前記カバーエリアに含まれる少なくとも一部の分割区域が他の少なくとも一部のセルに対して無線品質が報告されている分割区域である場合に、前記第１のセルに対して障害有りと判定する、
付記１に記載の無線基地局装置。
（付記３）
前記障害検出処理部は、
受信された各測定報告信号に対して、受信された測定報告信号により無線品質が報告されたセルと、前記無線基地局装置の周辺地域が分割された分割区域の中で、受信された前記測定報告信号を送信した移動端末装置の位置を含む分割区域とを抽出し、抽出された前記セルと抽出された前記分割区域とを対応づけてカバーエリア表に記録し、
受信された測定報告信号から抽出された分割区域に対応付けて前記カバーエリア表に記録されたセルの中に、受信された測定報告信号から抽出されない前記第１のセルが存在する場合、抽出された前記分割区域を前記第１のセルのカバーエリアから除外して、前記第１のセルのカバー率を計算し、
計算された前記カバー率が所定の閾値未満である場合、前記第１のセルに対して障害有りと判定する、
付記１に記載の無線基地局装置。
（付記４）
前記第１のセルが他の無線基地局装置に対応するセルである場合、前記アラーム信号送信部は、前記第１のセルに対応する前記他の無線基地局装置へ前記アラーム信号を送信する、付記１〜３の何れか一項に記載の無線基地局装置。
（付記５）
無線基地局装置から前記無線基地局装置に対応するセルへ送信された報知信号と、送信された前記報知信号の無線品質の測定を指示する測定指示信号とを受信し、受信された前記測定指示信号に従って受信された前記報知信号の無線品質を測定し、測定された前記セルに対する無線品質の測定報告を含む測定報告信号を前記無線基地局装置へ送信する移動端末装置と、
前記報知信号及び前記測定指示信号を前記セルに存在する移動端末装置へ送信し、前記測定報告信号を前記移動端末装置から受信し、受信された前記測定報告信号に第１のセルに対する無線品質の測定報告が含まれない場合に、前記第１のセルのカバーエリア内に存在する移動端末装置により測定された第２のセルに対する無線品質の測定報告を含む測定報告信号が受信されたか否かに従って、前記無線基地局装置から前記第１のセルへの送信機能に関する前記第１のセルの障害を検出し、前記第１のセルに障害が検出された場合に、前記第１のセルの障害発生を通知するアラーム信号を障害監視装置へ送信する無線基地局装置と
を含む無線システム。
（付記６）
前記無線基地局装置は、
各セルの障害発生を所定の監視周期で監視する監視周期タイマを管理し、
管理された前記監視周期タイマが満了するまでに受信された各測定報告信号に対して、受信された測定報告信号により無線品質が報告されたセルと、前記無線基地局装置の周辺地域が分割された分割区域の中で、受信された前記測定報告信号を送信した移動端末装置の位置を含む分割区域とを抽出し、抽出された前記セルと抽出された前記分割区域とを対応づけて報告管理表に記録し、
管理された前記監視周期タイマ満了後に、抽出された前記セルに対応付けて記録された前記分割区域を、抽出された前記セルのカバーエリアとして前記報告管理表に記録し、
前記第１のセルに対する無線品質の測定報告が前記報告管理表に無く、前記第１のセルの前記カバーエリアに含まれる少なくとも一部の分割区域が他の少なくとも一部のセルに対して無線品質が報告されている分割区域である場合に、前記第１のセルに対して障害有りと判定する、
付記５に記載の無線システム。
（付記７）
前記無線基地局装置は、
受信された各測定報告信号に対して、受信された測定報告信号により無線品質が報告されたセルと、前記無線基地局装置の周辺地域が分割された分割区域の中で、受信された前記測定報告信号を送信した移動端末装置の位置を含む分割区域とを抽出し、抽出された前記セルと抽出された前記分割区域とを対応づけてカバーエリア表に記録し、
受信された測定報告信号から抽出された分割区域に対応付けて前記カバーエリア表に記録されたセルの中に、受信された測定報告信号から抽出されない前記第１のセルが存在する場合、抽出された前記分割区域を前記第１のセルのカバーエリアから除外して、前記第１のセルのカバー率を計算し、
計算された前記カバー率が所定の閾値未満である場合、前記第１のセルに対して障害有りと判定する、
付記５に記載の無線システム。
（付記８）
前記第１のセルが他の無線基地局装置に対応するセルである場合、前記無線基地局装置は、前記第１のセルに対応する前記他の無線基地局装置へ前記アラーム信号を送信する、付記５〜７の何れか一項に記載の無線システム。
（付記９）
無線基地局装置が、前記無線基地局装置に対応するセルへ報知信号を送信し、送信された前記報知信号の無線品質の測定を指示する測定指示信号を前記セルに存在する移動端末装置へ送信し、
前記移動端末装置が、前記無線基地局装置から送信された前記報知信号と前記測定指示信号とを受信し、受信された前記測定指示信号に従って受信された前記報知信号の無線品質を測定し、測定された前記セルに対する無線品質の測定報告を含む測定報告信号を前記無線基地局装置へ送信し、
前記無線基地局装置が、前記測定報告信号を前記移動端末装置から受信し、受信された前記測定報告信号に第１のセルに対する無線品質の測定報告が含まれない場合に、前記第１のセルのカバーエリア内に存在する移動端末装置により測定された第２のセルに対する無線品質の測定報告を含む測定報告信号が受信されたか否かに従って、前記無線基地局装置から前記第１のセルへの送信機能に関する前記第１のセルの障害を検出し、前記第１のセルに障害が検出された場合に、前記第１のセルの障害発生を通知するアラーム信号を障害監視装置へ送信する
障害検出方法。
（付記１０）
前記無線基地局装置は、
各セルの障害発生を所定の監視周期で監視する監視周期タイマを管理し、
管理された前記監視周期タイマが満了するまでに受信された各測定報告信号に対して、受信された測定報告信号により無線品質が報告されたセルと、前記無線基地局装置の周辺地域が分割された分割区域の中で、受信された前記測定報告信号を送信した移動端末装置の位置を含む分割区域とを抽出し、抽出された前記セルと抽出された前記分割区域とを対応づけて報告管理表に記録し、
管理された前記監視周期タイマ満了後に、抽出された前記セルに対応付けて記録された前記分割区域を、抽出された前記セルのカバーエリアとして前記報告管理表に記録し、
前記第１のセルに対する無線品質の測定報告が前記報告管理表に無く、前記第１のセルの前記カバーエリアに含まれる少なくとも一部の分割区域が他の少なくとも一部のセルに対して無線品質が報告されている分割区域である場合に、前記第１のセルに対して障害有りと判定する、
付記９に記載の障害検出方法。
（付記１１）
前記無線基地局装置は、
受信された各測定報告信号に対して、受信された測定報告信号により無線品質が報告されたセルと、前記無線基地局装置の周辺地域が分割された分割区域の中で、受信された前記測定報告信号を送信した移動端末装置の位置を含む分割区域とを抽出し、抽出された前記セルと抽出された前記分割区域とを対応づけてカバーエリア表に記録し、
受信された測定報告信号から抽出された分割区域に対応付けて前記カバーエリア表に記録されたセルの中に、受信された測定報告信号から抽出されない前記第１のセルが存在する場合、抽出された前記分割区域を前記第１のセルのカバーエリアから除外して、前記第１のセルのカバー率を計算し、
計算された前記カバー率が所定の閾値未満である場合、前記第１のセルに対して障害有りと判定する、
付記９に記載の障害検出方法。
（付記１２）
前記第１のセルが他の無線基地局装置に対応するセルである場合、前記無線基地局装置は、前記第１のセルに対応する前記他の無線基地局装置へ前記アラーム信号を送信する、付記９〜１１の何れか一項に記載の障害検出方法。
【符号の説明】
【０１６４】
１      無線システム
１０      移動端末装置
１１      Central Processing Unit（ＣＰＵ）
１１Ａ      測定信号通信部
１１Ｂ      品質計測部
１２      メモリ
１３      無線通信インタフェース
１４      アンテナ
２０、５０      無線基地局装置
２１      ＣＰＵ
２１Ａ、５１Ａ      呼処理監視制御部
２１０      セル管理部
２１１      呼処理部
２１２      報知信号送信部
２１３      測定信号通信部
２１４    移動端末装置用通信部
２１５      位置座標変換部
２１６、５１１      障害検出処理部
２１７      タイマ管理部
２１８      アラーム信号送信部
２１９      他ノード用通信部
２２      メモリ
２２Ａ      報告管理表
２２Ｂ      セル状態表
５２Ａ      カバーエリア表
５２Ｂ      カバー率表
２３      無線通信インタフェース
２４      アンテナ
２５      ネットワークインタフェース
３０      コアネットワーク装置
４０      障害監視装置
【図１】
2015133672.tif 000003
【図２】
2015133672.tif 000004
【図３】
2015133672.tif 000005
【図４】
2015133672.tif 000006
【図５】
2015133672.tif 000007
【図６】
2015133672.tif 000008
【図７】
2015133672.tif 000009
【図８】
2015133672.tif 000010
【図９】
2015133672.tif 000011
【図１０】
2015133672.tif 000012
【図１１】
2015133672.tif 000013
【図１２】
2015133672.tif 000014
【図１３】
2015133672.tif 000015
【図１４】
2015133672.tif 000016
【図１５】
2015133672.tif 000017
【図１６】
2015133672.tif 000018
【図１７】
2015133672.tif 000019
【図１８】
2015133672.tif 000020
【図１９】
2015133672.tif 000021
【図２０Ａ】
2015133672.tif 000022
【図２０Ｂ】
2015133672.tif 000023
【図２１】
2015133672.tif 000024
【図２２】
2015133672.tif 000025
【図２３】
2015133672.tif 000026
【図２４】
2015133672.tif 000027
【図２５】
2015133672.tif 000028
【図２６】
2015133672.tif 000029
【図２７】
2015133672.tif 000030